(57)【要約】【課題】風や雨等によって作業者が苗供給部に苗を補給する作業に悪影響が生じることを防止できる移植機を提供すること。【解決手段】移植機は、走行可能な機体と、機体に設けられ且つ圃場に苗を植え付ける移植部と、機体に設けられ且つ移植部に苗を供給する苗供給部と、機体の周囲に配置され且つ苗供給部に苗を供給する作業者が着座する椅子と、少なくとも苗供給部と椅子の上方及び側方を被覆可能な幌部材と、機体上に設けられ且つ幌部材を支持する支持フレームと、を備えている。【選択図】図４０
2020000043.tif 000002
【特許請求の範囲】
【請求項１】
走行可能な機体と、
前記機体に設けられ且つ圃場に苗を植え付ける移植部と、
前記機体に設けられ且つ前記移植部に苗を供給する苗供給部と、
前記機体の周囲に配置され且つ前記苗供給部に苗を供給する作業者が着座する椅子と、
少なくとも前記苗供給部と前記椅子の上方及び側方を被覆可能な幌部材と、
前記機体上に設けられ且つ前記幌部材を支持する支持フレームと、
を備えている移植機。
【請求項２】
前記椅子は、機体幅方向の一方側と他方側とにそれぞれ配置されており、
前記支持フレームは、機体幅方向の一方側と他方側にそれぞれ伸長可能である請求項１に記載の移植機。
【請求項３】
前記支持フレームは、前記機体から前記椅子よりも上方まで延びる縦フレームと、前記縦フレームに取り付けられて前後方向に延びる第１横フレームと、前記縦フレームに取り付けられて機体幅方向に延びる第２横フレームと、を含み、
前記第２横フレームは、機体幅方向の一方側と他方側にそれぞれ伸長可能である請求項２に記載の移植機。
【請求項４】
前記支持フレームは、前記縦フレームに対して展開可能に取り付けられた展開部材を有し、
前記展開部材は、上方又は下方に延びる折り畳み姿勢と、機体幅方向の一方側又は他方側に向けて延びる展開姿勢と、に姿勢の変更が可能である請求項３に記載の移植機。
【請求項５】
前記苗供給部は、苗供給カップを環状の経路に沿って移送する移送機構を有する苗供給装置と、前記苗供給装置を支持する支持枠体と、を有し、
前記支持枠体は、前記苗供給部の前部に配置された前枠材を有し、
前記第２横フレームは、前記縦フレームの上部に取り付けられた上部フレームと、前記縦フレームの下部に取り付けられた下部フレームと、を有し、
前記下部フレームは、前記前枠材に沿って配置されている請求項３に記載の移植機。
【請求項６】
前記椅子は、機体幅方向の一方側であって且つ前記機体に対して接近する方向と、機体幅方向の一方側であって前記機体に対して離反する方向とに移動可能である請求項２〜５のいずれか１項に記載の移植機。
【請求項７】
前記幌部材は、透明又は透光性を有する素材から構成されている請求項１〜６のいずれかに記載の移植機。
【請求項８】
前記幌部材は、前記椅子の周囲に開閉可能な繋ぎ目部を有している請求項１〜７のいずれかに記載の移植機。
【請求項９】
前記支持フレームに取り付けられ且つ前記幌部材の内側に配置される照明装置を備えている請求項１〜８のいずれかに記載の移植機。
【発明の詳細な説明】
【技術分野】
【０００１】
本発明は、苗を圃場に植え付ける移植機に関する。
【背景技術】
【０００２】
従来、特許文献１に開示された移植機が知られている。
特許文献１に開示された移植機は、走行車体と、走行車体の後部に設けた歩行操縦用の操縦ハンドルと、圃場に苗を植付ける苗植付装置と、苗植付装置に苗を供給する苗供給装置と、苗供給装置に苗を補給する作業者が座る座席と、を備えている。
【先行技術文献】
【特許文献】
【０００３】
【特許文献１】特開２０１１−１６０８１４号公報
【発明の概要】
【発明が解決しようとする課題】
【０００４】
特許文献１に開示された移植機では、苗供給部（苗供給装置）及び座席の上方及び側方が露出しているため、風や雨等によって作業者が苗供給装置に苗を補給する作業に悪影響が生じる虞があった。
本発明は、かかる従来技術に鑑みて、風や雨等によって作業者が苗供給部に苗を補給する作業に悪影響が生じることを防止できる移植機を提供するものである。
【課題を解決するための手段】
【０００５】
本発明の一態様に係る移植機は、走行可能な機体と、前記機体に設けられ且つ圃場に苗を植え付ける移植部と、前記機体に設けられ且つ前記移植部に苗を供給する苗供給部と、前記機体の周囲に配置され且つ前記苗供給部に苗を供給する作業者が着座する椅子と、少なくとも前記苗供給部と前記椅子の上方及び側方を被覆可能な幌部材と、前記機体上に設けられ且つ前記幌部材を支持する支持フレームと、を備えている。
【０００６】
また、前記椅子は、機体幅方向の一方側と他方側とにそれぞれ配置されており、前記支持フレームは、機体幅方向の一方側と他方側にそれぞれ伸長可能である。
また、前記支持フレームは、前記機体から前記椅子よりも上方まで延びる縦フレームと、前記縦フレームに取り付けられて前後方向に延びる第１横フレームと、前記縦フレームに取り付けられて機体幅方向に延びる第２横フレームと、を含み、前記第２横フレームは、機体幅方向の一方側と他方側にそれぞれ伸長可能である。
【０００７】
また、前記支持フレームは、前記縦フレームに対して展開可能に取り付けられた展開部材を有し、前記展開部材は、上方又は下方に延びる折り畳み姿勢と、機体幅方向の一方側又は他方側に向けて延びる展開姿勢と、に姿勢の変更が可能である。
また、前記苗供給部は、苗供給カップを環状の経路に沿って移送する移送機構を有する苗供給装置と、前記苗供給装置を支持する支持枠体と、を有し、前記支持枠体は、前記苗供給部の前部に配置された前枠材を有し、前記第２横フレームは、前記縦フレームの上部に取り付けられた上部フレームと、前記縦フレームの下部に取り付けられた下部フレームと、を有し、前記下部フレームは、前記前枠材に沿って配置されている。
【０００８】
また、前記椅子は、機体幅方向の一方側であって且つ前記機体に対して接近する方向と、機体幅方向の一方側であって前記機体に対して離反する方向とに移動可能である。
また、前記幌部材は、透明又は透光性を有する素材から構成されている。
また、前記幌部材は、前記椅子の周囲に開閉可能な繋ぎ目部を有している。
また、前記支持フレームに取り付けられ且つ前記幌部材の内側に配置される照明装置を備えている。
【発明の効果】
【０００９】
上記移植機によれば、幌部材によって苗供給部と椅子の上方及び側方を被覆することが可能であるため、風や雨等によって作業者が苗供給部に苗を補給する作業に悪影響が生じることを防止できる。
【図面の簡単な説明】
【００１０】
【図１】苗供給装置の平面図である。
【図２】苗供給装置の正面断面図である。
【図３】苗供給部及び手摺りの平面図である。
【図４】水平調整レバー、指標体等を上後方から見た斜視図である。
【図５】指標体、基準体の背面図である。
【図６】移植部の平面図である。
【図７】移植部の側面図である。
【図８】移植部の概略正面図である。
【図９】植付装置の斜視図である。
【図１０】開閉機構及び連動機構を示す斜視図である。
【図１１】開閉機構及び支持機構を示す側面図である。
【図１２】原動機からの動力を移植部及び苗供給部に伝達する動力伝達機構の構成を示す図である。
【図１３】原動機からの動力を移植部及び苗供給部に伝達する動力伝達機構の一部を示す斜視図である。
【図１４】動力遮断機構を示す斜視図である。
【図１５】動力遮断機構を示す分解斜視図である。
【図１６】移植部におけるチューブの一部の配置を示す平面図である。
【図１７】移植部におけるチューブの全体の配置を示す平面図である。
【図１８】ガイド部材の装着部にチューブを装着した状態を示す側面図である。
【図１９】カバー、接地部材、支持部材、畝高さ検出部材を示す正面図である。
【図２０】カバー、接地部材、支持部材、畝高さ検出部材を示す側面図である。
【図２１】カバーの斜視図である。
【図２２】カバーの正面図である。
【図２３】カバーの平面図である。
【図２４】カバーの左側面図である。
【図２５】機体に対するカバーの取り付け方法を示す斜視図である。
【図２６】機体に対するカバーの取り付け構造を示す斜視図である。
【図２７】機体にカバーを取り付けた状態を示す斜視図である。
【図２８】椅子の支持機構を示す前方斜視図である。
【図２９】椅子の支持機構を示す後方斜視図である。
【図３０】第１装着部及び第２装着部に対する椅子の装着方法を示す斜視図である。
【図３１】乗降ステップを第２姿勢から第１姿勢とする様子、及び第２支柱（第２装着部）を示す斜視図である。
【図３２】支持フレームを備えた移植機を示す側面図である。
【図３３】支持フレームを備えた移植機を示す正面図である。
【図３４】支持フレームを伸長した状態の移植機を示す平面図である。
【図３５】支持フレームを短縮した状態の移植機を示す平面図である。
【図３６】支持フレームの斜視図である。
【図３７】支持フレームを伸長している様子を示す正面図である。
【図３８】支持フレームを短縮して展開部材を展開している様子を示す正面図である。
【図３９】支持部材に幌部材を装着した状態の移植機を示す側面図である。
【図４０】支持部材に幌部材を装着した状態の移植機を示す正面図である。
【図４１】支持部材に幌部材を装着した状態の移植機を示す背面図である。
【図４２】乗降ステップを第２姿勢として椅子及び後輪を機体に接近させた状態を示す平面図である。
【図４３】移植機の平面図であり、乗降ステップを第１姿勢として椅子及び後輪を機体から離反させた状態を示す。
【図４４】移植機の正面図である。
【図４５】移植機の側面図であり、機体を車輪に対して上昇させた状態を示す。
【図４６】移植機の側面図であり、機体を車輪に対して下降させた状態を示す。
【発明を実施するための形態】
【００１１】
以下、本発明の一実施形態について、図面を適宜参照しつつ説明する。
図４３〜図４５は、圃場を走行しながら圃場（畝）に玉葱等の苗を植え付ける移植機１を示している。図４３は移植機１の平面図であり、図４４は移植機１の正面図であり、図４５は移植機１の側面図である。
本発明の実施形態においては、苗植付け時の移植機１の進行方向（図４３、図４５の矢印Ａ１方向）を前方、進行方向の反対側（図４３、図４５の矢印Ａ２方向）を後方、進行方向に向かって左側（図４３、図４４の矢印Ｂ１方向）を左方、進行方向に向かって右側（図４３、図４４の矢印Ｂ２方向）を右方として説明する。
【００１２】
また、図４３、図４４に示すように、前後方向Ｋ１に直交する方向である水平方向を機体幅方向（機体２の幅方向）Ｋ２として説明する。移植機１（機体２）の幅方向の中央部から右部、或いは、左部へ向かう方向を機体外方（機体幅方向の外方）として説明する。言い換えれば、機体外方とは、機体幅方向Ｋ２であって移植機１（機体２）の幅方向の中心から離れる方向のことである。機体外方とは反対の方向を、機体内方（機体幅方向の内方）として説明する。言い換えれば、機体内方とは、機体幅方向Ｋ２であって機体２の幅方向の中心に近づく方向である。
【００１３】
図４３〜図４５に示すように、移植機１は、機体２を有する。機体２の後部には、原動機Ｅ１が搭載されている。原動機Ｅ１は、エンジンであってもよいし、モータであってもよい。また、機体２は、原動機Ｅ１からの動力が伝達されるミッションケースＭ１を有する。機体２の後部には、移植機１を歩行操作する時に作業者が把持する操向ハンドル５が設けられている。
【００１４】
移植機１は、機体２を走行可能に支持する車輪を備える。車輪は、機体２の左側に配置された前輪３Ｌ及び後輪４Ｌと、機体２の右側に配置された前輪３Ｒ及び後輪４Ｒとを含む。前輪３Ｌ，３Ｒは、自由に回転する車輪であり、後輪４Ｌ，４Ｒは、ミッションケースＭ１から動力が伝達されて回転駆動する駆動輪である。車輪（前輪３Ｌ，３Ｒ、後輪４Ｌ，４Ｒ）は、移植作業時には隣り合う畝と畝の間（畝間）に接地して回転する。
【００１５】
機体２の左側方には、前輪支持アーム６Ｌが設けられている。前輪支持アーム６Ｌの上部は、機体２に横軸（機体幅方向Ｋ２に延伸する軸心）回りに回転可能に支持されている。前輪支持アーム６Ｌの下部に前輪３Ｌが回転自在に取り付けられている。機体２の右側方には、前輪支持アーム６Ｒが設けられている。前輪支持アーム６Ｒの上部は、機体２に横軸回りに回転可能に支持されている。前輪支持アーム６Ｒの下部に前輪３Ｒが回転自在に取り付けられている。
【００１６】
機体２の左側方には、車輪支持体７Ｌが設けられている。車輪支持体７Ｌの上部は、機体２に横軸回りに回転可能に支持されている。車輪支持体７Ｌの下部には、後輪４Ｌが回転可能に取り付けられている。機体２の右側方には、車輪支持体７Ｒが設けられている。車輪支持体７Ｒの上部は、機体２に横軸回りに回転可能に支持されている。車輪支持体７Ｒの下部には、後輪４Ｒが回転可能に取り付けられている。
【００１７】
前輪支持アーム６Ｌ，６Ｒ及び車輪支持体７Ｌ，７Ｒは、油圧シリンダ（図示略）によって、横軸回りに前方又は後方に揺動駆動可能とされている。これにより、前輪３Ｌ，３Ｒ及び後輪４Ｌ，４Ｒが機体２に対して相対的に昇降する。前輪３Ｌ，３Ｒ及び後輪４Ｌ，４Ｒを機体２に対して同時に昇降させることにより、機体２が地面に対して昇降する。
詳しくは、前輪支持アーム６Ｌ，６Ｒを後方に揺動させ且つ車輪支持体７Ｌ，７Ｒを前方に揺動させると、前輪３Ｌ，３Ｒと後輪４Ｌ，４Ｒとの前後方向の距離が小さくなる。そのため、車輪（前輪３Ｌ，３Ｒ及び後輪４Ｌ，４Ｒ）が機体２に対して相対的に下降し、機体２が地面に対して上昇する（図４５参照）。一方、前輪支持アーム６Ｌ，６Ｒを前方に揺動させ且つ車輪支持体７Ｌ，７Ｒを後方に揺動させると、前輪３Ｌ，３Ｒと後輪４Ｌ，４Ｒとの前後方向の距離が大きくなる。そのため、車輪（前輪３Ｌ，３Ｒ及び後輪４Ｌ，４Ｒ）が機体２に対して相対的に上昇し、機体２が地面に対して下降する（図４６参照）。
【００１８】
前輪支持アーム６Ｌ，６Ｒ及び車輪支持体７Ｌ，７Ｒを揺動駆動させる油圧シリンダ（以下、「昇降シリンダ」という）は、当該昇降シリンダの動作を制御する昇降制御弁（図示略）と共に、車輪（前輪３Ｌ，３Ｒ、後輪４Ｌ，４Ｒ）に対して相対的に機体２を昇降させる昇降機構（以下、「機体昇降機構」という）を構成している。
また、移植機１は、機体２を水平に維持するための水平制御装置（図示略）を備えている。水平制御装置は、油圧シリンダであるモンローシリンダを有している。モンローシリンダは、機体２と右側の前輪支持アーム６Ｒ及び車輪支持体７Ｒとを連携部材を介して接続している。モンローシリンダのロッドを伸長又は短縮することにより、右側の前輪３Ｒ及び後輪４Ｒのみを機体２に対して昇降させることができる。これにより、傾斜地においても機体２を水平に維持することができる。
【００１９】
移植機１は、圃場に苗を植え付ける移植部１１と、移植部１１に苗を供給する苗供給部１２とを有する。移植部１１及び苗供給部１２は、機体２に備えられている。移植部１１は機体２の前部に設けられている。苗供給部１２は、機体２の上方に前部から後部にわたって設けられている。苗供給部１２は、機体２の左側に設けられた第１苗供給装置１２Ｌと、機体２の右側に設けられた第２苗供給装置１２Ｒとを有する。
【００２０】
機体２の周囲には、椅子１３Ｌ，１３Ｒが配置されている。椅子１３Ｌ，１３Ｒは、機体幅方向の一方側と他方側にそれぞれ配置されている。具体的には、機体２の一側方（左側）には、第１椅子（椅子）１３Ｌが設けられ、機体２の他側方（右側）には、第２椅子（椅子）１３Ｒが設けられている。第１椅子（椅子）１３Ｌは、第１苗供給装置１２Ｌの側方（左側方）に配置され、デッキ１０Ｌの上方側に設けられている。第２椅子１３Ｒは、第２苗供給装置１２Ｒの側方（右側方）に配置され、デッキ１０Ｒの上方側に設けられている。デッキ１０Ｌ，１０Ｒは、作業者が乗る部位であり、椅子（第１椅子１３Ｌ，第２椅子１３Ｒ）に座って苗の供給作業をする作業者が足を載せる部位である。デッキ１０Ｌ、１０Ｒの前部には、苗を収容した容器等を引っ掛けて支持可能な支柱１７Ｌ，１７Ｒが立設されている。
【００２１】
第１椅子１３Ｌ、第２椅子１３Ｒは、苗供給部１２に苗を供給する作業者が座る椅子である。移植機１は、植付作業時に、第１椅子１３Ｌ及び／又は第２椅子１３Ｒに座った作業者が操向等の操作が可能な乗用型の移植機１である。作業者は、機体内方に向いて（苗供給部１２側に向いて）第１椅子１３Ｌ及び／又は第２椅子１３Ｒに着座する。第１椅子１３Ｌ及び第２椅子１３Ｒの両方に作業者が座る場合は、例えば、第１椅子１３Ｌの作業者が第１苗供給装置１２Ｌに苗を供給し、第２椅子１３Ｒの作業者が第２苗供給装置１２Ｒに苗を供給する。以下、第１椅子１３Ｌと第２椅子１３Ｒとをまとめて「椅子１３Ｌ，１３Ｒ」という。
【００２２】
次に、図１、図２を参照して、第１苗供給装置１２Ｌ、第２苗供給装置１２Ｒを説明する。第１苗供給装置１２Ｌと第２苗供給装置１２Ｒは、構造が同じであるので、第１苗供給装置１２Ｌを説明し、第２苗供給装置１２Ｒの説明は省略する。
第１苗供給装置１２Ｌは、作業者によって上方から苗が供給される苗供給カップ１４Ａ，１４Ｂを有する。図２に示すように、苗供給カップ１４Ａ，１４Ｂは、上下開口状の筒状のカップ本体１５と、このカップ本体１５の底部開口を開閉自在に塞ぐ底蓋１６とを有する。苗供給カップ１４Ａ，１４Ｂは、底蓋１６を閉じた状態で苗を保持可能であり、底蓋１６が開くと苗を下方に排出可能である。
【００２３】
図１に示すように、苗供給カップ１４Ａ，１４Ｂは、平面視で前後方向Ｋ１に長い長円形を呈するように環状（ループ状）に一定間隔で並べて配置されている。この環状（長円形状）のカップ配置経路（移送経路）に沿って苗供給カップ１４Ａ，１４Ｂが移動可能とされている。
苗供給カップ１４Ａ，１４Ｂは、カップ配置経路の前部の機体外方側の第１位置Ｘ１で苗を落下させて排出する第１カップ１４Ａと、カップ配置経路の前部の機体内方側の第２位置Ｘ２で苗を落下させて排出する第２カップ１４Ｂとがカップ配置経路に沿って交互に並べて配置されている。
【００２４】
第１苗供給装置１２Ｌは、苗供給カップ１４Ａ，１４Ｂがカップ配置経路に沿って矢印Ｙ１で示す方向に周回移送される。第２苗供給装置１２Ｒは、苗供給カップ１４Ａ，１４Ｂがカップ配置経路に沿って矢印Ｙ２で示す方向に周回移送される。
底蓋１６は、規制部材によって開きが規制され、第１カップ１４Ａが第１位置Ｘ１に位置すると共に、第２カップ１４Ｂが第２位置Ｘ２に位置したときに規制部材から外れて開く。
【００２５】
第１苗供給装置１２Ｌは、カップ配置経路の内周側の後部に配置された駆動スプロケット１８と、カップ配置経路の内周側の前部に配置された従動スプロケット１９と、これらスプロケット１８，１９にわたって巻掛けられたエンドレスの移送チェーン２０とを有する。駆動スプロケット１８、従動スプロケット１９、移送チェーン２０は、苗供給カップ１４Ａ，１４Ｂを環状の経路（カップ移送経路）に沿って移動する移送機構を構成している。図２に示すように、カップ本体１５の下部に連結部２１が設けられ、この連結部２１が移送チェーン２０に連結されている。
【００２６】
したがって、駆動スプロケット１８によって移送チェーン２０が駆動されることにより、苗供給カップ１４Ａ，１４Ｂが間欠的に移送される。
図３に示すように、苗供給部１２は、第１苗供給装置１２Ｌ及び第２苗供給装置１２Ｒを支持する支持枠体２２を有する。支持枠体２２は、前枠材２２Ｆ、後枠材２２Ｂ、左枠材２２Ｌ、右枠材２２Ｒ、中央枠材２２Ｍを有する。前枠材２２Ｆは、苗供給部１２の前部に配置され、第１苗供給装置１２Ｌ及び第２苗供給装置１２Ｒの前方において機体幅方向Ｋ２に延びている。後枠材２２Ｂは、苗供給部１２の後部に配置され、第１苗供給装置１２Ｌ及び第２苗供給装置１２Ｒの後方において機体幅方向Ｋ２に延びている。左枠材２２Ｌは、苗供給部１２の左部に配置され、第１苗供給装置１２Ｌ及び第２苗供給装置１２Ｒの左方において前後方向に延びている。右枠材２２Ｒは、苗供給部１２の右部に配置され、第１苗供給装置１２Ｌ及び第２苗供給装置１２Ｒの右方において前後方向に延びている。中央枠材２２Ｍは、機体幅方向Ｋ２の中央部（第１苗供給装置１２Ｌと第２苗供給装置１２Ｒとの間）において前後方向に延びている。中央枠材２２Ｍは、前枠材２２Ｆの機体幅方向Ｋ２の中央部と後枠材２２Ｂの機体幅方向Ｋ２の中央部とを連結している。
【００２７】
図３に示すように、前枠材２２Ｆ、後枠材２２Ｂ、左枠材２２Ｌ、右枠材２２Ｒ、中央枠材２２Ｍは、環状のカップ移送経路を囲う環状の枠部２６Ｌ，２６Ｒを構成している。枠部２６Ｌは、前枠材２２Ｆの左部、後枠材２２Ｂの左部、左枠材２２Ｌ、中央枠材２２Ｍからなり、第１苗供給装置１２Ｌのカップ移送経路を収容する長円状の第１開口部１２Ｌａを構成している。枠部２６Ｒは、前枠材２２Ｆの右部、後枠材２２Ｂの右部、右枠材２２Ｒ、中央枠材２２Ｍからなり、第２苗供給装置１２Ｒのカップ移送経路を収容する長円状の第２開口部１２Ｒａを構成している。
【００２８】
支持枠体２２は、天板２２ａ、左側板２２ｂ、右側板２２ｃ、前板２２ｄ、後板２２ｅを有している。天板２２ａは、支持枠体２２の上面を構成している。天板２２ａの上面は、平面に形成されている。天板２２ａは、第１開口部１２Ｌａ及び第２開口部１２Ｒａを有している。左側板２２ｂは、支持枠体２２の左縁部（左枠材２２Ｌの左縁部）から下方に延びており、支持枠体２２の左側面を構成している。右側板２２ｃは、支持枠体２２の右縁部（右枠材２２Ｒの右縁部）から下方に延びており、支持枠体２２の右側面を構成している。前板２２ｄは、支持枠体２２の前縁部（前枠材２２Ｆの前縁部）から下方に延びており、支持枠体２２の前面を構成している。後板２２ｅは、支持枠体２２の後縁部（後枠材２２Ｂの後縁部）から下方に延びており、支持枠体２２の後面を構成している。
【００２９】
図３、図４３〜図４５に示すように、支持枠体２２には、手摺り９０が取り付けられている。手摺り９０は、椅子１３Ｌ，１３Ｒに着座する作業者が把持するために設けられている。手摺り９０は、支持枠体２２の後枠材２２Ｂに取り付けられている。手摺り９０は、後部位９１と側部位９２とを有する。後部位９１は、後枠材２２Ｂに沿って機体幅方向Ｋ２に延びている。側部位９２は、第１側部位９２Ｌと第２側部位９２Ｒとを含む。
【００３０】
第１側部位９２Ｌは、機体２の左側に設けられている。第２側部位９２Ｒは、機体２の右側に設けられている。後部位９１は、後枠材２２Ｂの後方且つ上方において機体幅方向Ｋ２に延設されており、第１側部位９２Ｌと第２側部位９２Ｒとを連結している。第１側部位９２Ｌは、後部位９１の機体幅方向一方端（左端）から前方に延びており、枠部２６Ｌの側縁（左側縁）に沿って配置されている。第１側部位９２Ｌは、前方に延びるにつれて上方に移行している。また、第１側部位９２Ｌは、前方に延びるにつれて機体外方（左方）に移行している。第２側部位９２Ｒは、後部位９１の機体幅方向他方端（右端）から前方に延びており、枠部２６Ｒの側縁（右側縁）に沿って配置されている。第２側部位９２Ｒは、前方に延びるにつれて上方に移行している。また、第２側部位９２Ｒは、前方に延びるにつれて機体外方（右方）に移行している。
【００３１】
図４４、図４５に示すように、第１側部位９２Ｌ及び第２側部位９２Ｒは、支持枠体２２よりも上方に位置している。図３に示すように、第１側部位９２Ｌの前端部は、支持枠体２２の左端部よりも機体外方（左方）に位置している。第２側部位９２Ｒの前端部は、支持枠体２２の右端部よりも機体外方（右方）に位置している。
手摺り９０と第１開口部１２Ｌａ及び第２開口部１２Ｒａとの位置関係について説明すると、後部位９１は、第１開口部１２Ｌａの後方且つ上方に位置している。第１側部位９２Ｌは、第１開口部１２Ｌａの機体外方（左方）且つ上方に位置している。後部位９１は、第２開口部１２Ｒａの後方且つ上方に配置されている。第２側部位９２Ｒは、第２開口部１２Ｒａの機体外方（右方）且つ上方に位置している。これにより、椅子１３Ｌ．１３Ｒに着座して作業を行う作業者或いは椅子１３Ｌ，１３Ｒに乗り降りする作業者が、第１開口部１２Ｌａ及び第２開口部１２Ｒａに誤って手を入れて怪我をすることが防止される。
【００３２】
図３、図４３に示すように、第１側部位９２Ｌの前端部には、第１グリップ９２Ｌａが設けられている。第１グリップ９２Ｌａは、作業者が第１椅子１３Ｌに乗降する際に手で握る部分である。第２側部位９２Ｒの前端部には、第２グリップ９２Ｒａが設けられている。第２グリップ９１Ｒａは、作業者が第２椅子１３Ｒに乗降する際に手で握る部分である。第１グリップ９１Ｌａは、第１椅子１３Ｌよりも後方に設けられている。第２グリップ９１Ｒａは、第２椅子１３Ｒよりも後方に設けられている。これにより、機体２の後方から第１椅子１３Ｌに向かう作業者は、第１グリップ９１Ｌａを握って第１椅子１３Ｌに着座することができる。また、機体２の後方から第２椅子１３Ｒに向かう作業者は、第２グリップ９１Ｒａを握って第２椅子１３Ｒに着座することができる。尚、第１グリップ９１Ｌａを第１椅子１３Ｌよりも前方に設け、第２グリップ９１Ｒａを第２椅子１３Ｒよりも前方に設けてもよい。
【００３３】
図３、図４３〜図４５に示すように、苗供給部１２には、原動機Ｅ１から後輪（車輪）４Ｌ，４Ｒへの動力伝達を遮断可能な操作レバー９３が配置されている。操作レバー９３は、中央枠材２２Ｍの後部から上方に向けて突出している。操作レバー９３は、原動機Ｅ１から後輪（車輪）４Ｌ，４Ｒ、移植部１１、苗供給部１２への動力伝達を許容又は遮断可能な主クラッチを操作するレバーである。例えば、作業中に不具合が生じた場合には、第１椅子１３Ｌ又は第２椅子１３Ｒに着座した作業者は、手を伸ばして操作レバー９３を操作することによって、原動機Ｅ１から後輪（車輪）４Ｌ，４Ｒ、移植部１１、苗供給部１２への動力伝達を遮断することができる。
【００３４】
図３、図４３〜図４５に示すように、苗供給部１２には、水平調整レバー９７が設けられている。水平調整レバー９７は、水平制御装置を操作するレバーである。水平調整レバー９７を操作することによって、水平制御装置のモンローシリンダのロッドが伸長又は短縮する。これにより、機体２の傾きを調整（修正）して、機体２及び移植部１１を水平とすることができる。
【００３５】
水平調整レバー９７は、操作レバー９３の前方に配置されている。また、水平調整レバー９７は、第１苗供給装置１２Ｌと第２苗供給装置１２Ｒとの間に配置されている。図３、図４に示すように、水平調整レバー９７は、支持枠体２２の天板２２ａに形成された第１長穴２２ｆを貫通して上下方向に延びている。第１長穴２２ｆは、中央枠材２２Ｍに形成されており、機体幅方向Ｋ２に延びている。
【００３６】
図４に示すように、水平調整レバー９７は、第１長穴２２ｆに沿って、機体幅方向Ｋ２の一方側（左側）と他方側（右側）とに揺動可能である。具体的には、水平調整レバー９７は、基準レバー位置９７Ｍと、第１レバー位置９７Ｌと、第２レバー位置９７Ｒとに揺動可能である。基準レバー位置９７Ｍは、第１長穴２２ｆの機体幅方向の中心に位置する。第１レバー位置９７Ｌは、基準レバー位置９７Ｍに対して機体幅方向の一方側（左側）に位置する。第２レバー位置９７Ｒは、基準レバー位置９７Ｍに対して機体幅方向の他方側（右側）に位置する。
【００３７】
水平調整レバー９７の上部は、第１長穴２２ｆから支持枠体２２の上方（天板２２ａの上方）に突出しており、椅子１３Ｌ，１３Ｒに着座した作業者が把持することができる。水平調整レバー９７の下部は第１長穴２２ｆを通って支持枠体２２の下方に延びており、連携機構（図示略）を介して水平制御装置のモンローシリンダと連携されている。これにより、水平調整レバー９７の上部を把持して揺動させることにより、モンローシリンダのロッドを伸長又は短縮することができる。
【００３８】
水平調整レバー９７を機体幅方向Ｋ２の一方側に揺動させる（基準レバー位置９７Ｍから第１レバー位置９７Ｌに揺動させる）ことにより、機体２の機体幅方向の一方側（左側）を下降させることができる。水平調整レバー９７を機体幅方向Ｋ２の他方側に揺動させる（基準レバー位置９７Ｍから第２レバー位置９７Ｒに揺動させる）ことにより、機体２の機体幅方向の他方側（右側）を下降させることができる。
【００３９】
図３〜図５等に示すように、苗供給部１２には、指標体９８が設けられている。指標体９８は、機体２の水平状態からの傾きを示す。指標体９８は、第１苗供給装置１２Ｌと第２苗供給装置１２Ｒとの間に配置されている。
図４、図５に示すように、指標体９８は、支持枠体２２から（天板２２ａから）上方に突出している。具体的には、指標体９８は、支持枠体２２の天板２２ａに形成された第２長穴２２ｇから上方に突出している。第２長穴２２ｇは、中央枠材２２Ｍに形成されており、機体幅方向Ｋ２に延びている。第２長穴２２ｇは、第１長穴２２ｆの前方に配置されている。
【００４０】
指標体９８は、第２長穴２２ｇに沿って、機体幅方向Ｋ２の一方側（左側）と他方側（右側）とに揺動可能である。具体的には、指標体９８は、基準指標位置Ｍに対して第１指標方向（図５の矢印Ｌ方向）と第２指標方向（図５の矢印Ｒ方向）とに揺動可能である。図４、図５において、基準指標位置Ｍにある指標体を符号９８Ｍで示し、第１指標方向Ｌに揺動した指標体を符号９８Ｌで示し、第２指標方向Ｒに移動した指標体を符号９８Ｒで示している。基準指標位置Ｍは、第２長穴２２ｇの機体幅方向Ｋ２の中心に位置する。第１指標方向Ｌは、基準指標位置Ｍに対して機体幅方向Ｋ２の一方側（左方）である。第２指標方向Ｒは、基準指標位置に対して機体幅方向Ｋ２の他方側（右方）である。
【００４１】
図５に示すように、指標体９８の下部には、錘９９が設けられている。本実施形態の場合、錘９９は指標体９８と一体物として形成されているが、錘９９を指標体９８と別部材として指標体９８の下部に取り付けてもよい。錘９９の上方には、指標体９８を揺動可能に支持する支軸７９が設けられている。支軸７９は、前後方向に延びる軸であり、支持枠体２２の下方に設けられた軸支部材１１２に支持されている。軸支部材１１２は、支持枠体２２の天板２２ａの下面に取り付けられている。指標体９８は、錘９９に作用する鉛直下向きの重力によって、地面の傾きや機体２の傾きに影響されずに鉛直方向を向く。指標体９８は、機体２が水平であるときには、基準指標位置Ｍに位置する。指標体９８は、機体２の機体幅方向の一方側（左側）が下降したときには、機体２に対して他方側（右側）に傾き、第２指標方向Ｒに移動する。指標体９８は、機体２の機体幅方向の他方側（右側）が下降したときには、機体２に対して一方側（左側）に傾き、第１指標方向Ｌに移動する。
【００４２】
図４に示すように、基準レバー位置９７Ｍと基準指標位置Ｍとは、前後方向に延びる同一直線Ｌ１上に配置されている。図３に示すように、直線Ｌ１は、支持枠体２２の機体幅方向Ｋ２の中心を通って前後方向Ｋ１に延びる直線である。第１レバー位置９７Ｌと第１指標方向（左方）Ｌとは、直線Ｌ１に対して同じ側（左側）にある。第２レバー位置９７Ｒと第２指標方向（右方）Ｒとは、直線Ｌ１に対して同じ側（右側）にある。
【００４３】
図３〜図５に示すように、指標体９８の前方には、基準体１０８が設けられている。基準体１０８は、レバー１０９の後方に設けられている。レバー１０９は、後述する植付具３７Ｌ，３７Ｒ，３８Ｌ，３８Ｒによる苗の植え付け深さを調整するためのレバーである。レバー１０９は、前方又は後方に揺動可能となっている。
基準体１０８は、指標体９８が基準位置にあることを作業者に視覚的に示すために設けられている。基準体１０８は、機体２に取り付けられており、機体２が傾いたときには機体２と同じ方向に傾く。図５に示すように、基準体１０８は、下部が天板２２ａの下方で軸支部材１１２に取り付けられており、上部が天板２２ａから上方に突出している。
【００４４】
基準体１０８は、上縁が円弧状の開口部１０８ａを有する板材として構成されている。開口部１０８ａには、基準片１０８ｂが設けられている。基準片１０８ｂは、開口部１０８ａの機体幅方向Ｋ２の中心に設けられており、開口部１０８ａの上縁から後方下向きに延出している。開口部１０８ａは、後方から見て指標体９８とオーバーラップする位置に設けられている。基準片１０８ｂは、指標体９８が指標基準位置９８Ｍにあるとき、後方から見て指標体９８とオーバーラップする位置にある。
【００４５】
図４３に示すように、椅子１３Ｌ，１３Ｒは、水平調整レバー９７及び指標体９８に対して後方に配置されている。水平調整レバー９７は、指標体９８の後方に配置されている。そのため、水平調整レバー９７は、前後方向において指標体９８よりも椅子１３Ｌ，１３Ｒに近い側に配置されている。
椅子１３Ｌ，１３Ｒに着座した作業者の視線の方向は、図４に示す矢印Ａ１方向（後方から前方に向かう方向）となる。そのため、椅子１３Ｌ，１３Ｒに着座した作業者が前方を向いたとき、水平調整レバー９７が手前側に視認され、指標体９８が水平調整レバー９７の奥側に視認される。また、図４、図５に示すように、基準体１０８は、指標体９８の奥側に視認される。
【００４６】
尚、椅子１３Ｌ，１３Ｒを、水平調整レバー９７及び指標体９８に対して前方に配置することもできる。この場合、水平調整レバー９７は、指標体９８の前方に配置される。また、基準体１０８は、指標体９８の後方に配置される。この場合、椅子１３Ｌ，１３Ｒに着座した作業者が後方を向いたとき、水平調整レバー９７が手前側に視認され、指標体９８が水平調整レバー９７の奥側に視認される。また、基準体１０８は、指標体９８の奥側に視認される。
【００４７】
椅子１３Ｌ，１３Ｒと水平調整レバー９７と指標体９８とが上記の位置関係にあることによって、作業者は、椅子１３Ｌ，１３Ｒに着座した状態において、指標体９８の位置を確認することにより、機体２の傾きの有無及び傾き方向と水平調整レバー９７を操作すべき方向を把握することができる。
具体的には、指標体９８が基準片１０８ｂとオーバーラップしている場合、機体２が傾いていない（水平である）ことを把握することができる。この場合、水平調整レバー９７は、基準レバー位置９７Ｍを維持すればよく、操作する必要はない。
【００４８】
指標体９８が基準片１０８ｂに対して機体幅方向Ｋ２の一方側（左側）に位置する場合、作業者は水平調整レバー９７を機体幅方向Ｋ２の一方側（即ち、指標体９８の傾き方向と同じ方向）に揺動させればよいことを把握できる。この場合、機体２が右下がりに傾斜している（右側が下降している）状態にあるため、水平調整レバー９７を基準レバー位置９７Ｍから第１レバー位置９７Ｌに揺動させることにより、機体２の機体幅方向Ｋ２の一方側（左側）を下降させて機体２を水平とすることができる。
【００４９】
指標体９８が基準片１０８ｂに対して機体幅方向Ｋ２の他方側（右側）に位置する場合、作業者は水平調整レバー９７を機体幅方向Ｋ２の他方側（即ち、指標体９８の傾き方向と同じ方向）に揺動させればよいことを把握できる。この場合、機体２が左下がりに傾斜している（左側が下降している）状態にあるため、水平調整レバー９７を基準レバー位置９７Ｍから第２レバー位置９７Ｒに揺動させることにより、機体２の機体幅方向Ｋ２の他方側（右側）を下降させて機体２を水平とすることができる。
【００５０】
このように、作業者は、機体２が傾いた場合、水平調整レバー９７を指標体９８の傾き方向と同じ方向に操作することで、機体２を水平に戻すことができる。そのため、作業者は、機体２がどちらに傾いているかを意識することなく、指標体９８を見て直観的に水平調整レバー９７を操作すべき方向を正確に把握して、傾きをなくす方向に正しく操作することができる。
【００５１】
次に、図６〜図１１を参照して、移植部１１について詳細に説明する。
図６、図７に示すように、移植部１１は、移植フレーム２３を有する。
移植フレーム２３は、メインフレーム２４と、第１取付部材２５Ｌと、第２取付部材２５Ｒと、複数のフレーム材（上フレーム材２７、下フレーム材２８、前フレーム材２９）とを有する。
【００５２】
メインフレーム２４は、機体２の前部に取り付けられている。メインフレーム２４の機体幅方向Ｋ２の中央部は、機体２の幅方向Ｋ２の中央部に一致している。第１取付部材２５Ｌは、メインフレーム２４の左側部の下部に固定されていると共に、デッキ１０Ｌの前部に固定されている。第２取付部材２５Ｒは、メインフレーム２４の右側部の下部に固定されていると共に、デッキ１０Ｒの前部に固定されている。
【００５３】
上フレーム材２７は、後部２７ａがメインフレーム２４の上部から前方に延出している。上フレーム材２７の前部２７ｂは、後部２７ａの前端から前方に行くにしたがって下方に移行する傾斜方向に延出した後、下方に延出されている。下フレーム材２８は、メインフレーム２４の下方において機体２に固定され、且つ機体２から前方に延びている。上フレーム材２７及び下フレーム材２８は、機体の幅方向Ｋ２の中央部に位置している。
【００５４】
前フレーム材（前部フレーム）２９は、上フレーム材２７及び下フレーム材２８の前端部に位置し、機体幅方向Ｋ２に延伸している。前フレーム材２９の中央部に、上フレーム材２７及び下フレーム材２８の前端部が固定されている。
図６、図７に示すように、移植部１１には、横軸回りに回転駆動される駆動シャフト３１が設けられている。駆動シャフト３１は、例えば、六角棒で形成されている。駆動シャフト３１は、メインフレーム２４の下部前方において、機体幅方向Ｋ２に延伸して設けられている。メインフレーム２４の機体幅方向Ｋ２の中央部には、軸支持部材３２が設けられている。駆動シャフト３１は、この軸支持部材３２を挿通していると共に、中央部が軸支持部材３２に軸受部材を介して回転可能に支持されている。
【００５５】
駆動シャフト３１には、動力伝達機構３４を介してミッションケースＭ１からの動力が軸心方向の中央部に伝達される。駆動シャフト３１の一端部（左端部）は、第１取付部材２５Ｌの前方に位置している。駆動シャフト３１の他端部（右端部）は、第２取付部材２５Ｒの前方に位置している。
図６〜図８に示すように、移植部１１は、第１植付装置３６Ｌと、第２植付装置３６Ｒとを有する。第１植付装置３６Ｌは、メインフレーム２４の左側の前方で且つ上フレーム材２７及び下フレーム材２８の左側に配置されている。第２植付装置３６Ｒは、メインフレーム２４の右側の前方で且つ上フレーム材２７及び下フレーム材２８の右側に配置されている。
【００５６】
図６〜図９に示すように、第１植付装置３６Ｌは、圃場に苗を植え付ける複数の植付具（第１植付具３７Ｌ、第３植付具３８Ｌ）を有する。複数の植付具は、第１伝動体３９Ｌに、第１昇降機構４０Ｌ及び第１支持体４１Ｌを介して昇降可能に支持されている。第１植付具３７Ｌ及び第３植付具３８Ｌは、同時に昇降し、上昇位置で苗が供給されると共に苗を保持したまま下降し、下降位置で圃場（畝）に突入して開く。これにより、圃場に植穴が形成されると共に該植穴に苗が放出されて植え付けられる。
【００５７】
第２植付装置３６Ｒも、圃場に苗を植え付ける複数の植付具（第２植付具３７Ｒ、第４植付具３８Ｒ）を有する。複数の植付具は、第２伝動体３９Ｒに、第２昇降機構４０Ｒ及び第２支持体４１Ｒを介して昇降可能に支持されている。第２植付具３７Ｒ及び第４植付具３８Ｒも、第１植付具３７Ｌ及び第３植付具３８Ｌと同様に動作して、圃場に苗が植え付けられる。また、第２植付具３７Ｒ及び第４植付具３８Ｒは、第１植付具３７Ｌ及び第３植付具３８Ｌが上昇しているときに下降する。
【００５８】
図６、図８に示すように、複数の植付具（第１植付具３７Ｌ、第２植付具３７Ｒ、第３植付具３８Ｌ、第４植付具３８Ｒ）は、機体幅方向に並んで配置されている。第１植付具３７Ｌは、隣接する畝のうち一方の畝に苗を植え付ける。第２植付具３７Ｒは、隣接する畝のうち他方の畝に苗を植え付ける。第３植付具３８Ｌは、第１植付具３７Ｌに対して第２植付具３７Ｒとは反対側（左側）に配置されている。第４植付具３８Ｒは、第２植付具３７Ｒに対して第１植付具３７Ｌとは反対側（右側）に配置されている。
【００５９】
本実施形態では、移植機１は、４条植えの移植機であって、第１植付装置３６Ｌで植え付けられる２つの苗と、第２植付装置３６Ｒで植え付けられる２つの苗とが前後方向Ｋ１に位置ずれした千鳥植えをする移植機である。
図６、図７に示すように、第１伝動体３９Ｌ及び第２伝動体３９Ｒは、駆動シャフト３１の駆動力を伝達する装置である。第１伝動体３９Ｌは、駆動シャフト３１の一端側に配置されている。第２伝動体３９Ｒは、駆動シャフト３１の他端側に、第１伝動体３９Ｌと機体幅方向Ｋ２において対向して配置されている。
【００６０】
第１伝動体３９Ｌは、支持ケース４３Ｌと、この支持ケース４３Ｌに設けられた伝動機構４４Ｌとを有する。支持ケース４３Ｌは、基部（第１伝動体３９Ｌの基部）４２Ｌが第１取付部材２５Ｌの前面にボルト等によって固定されていて、第１取付部２５Ｌから前方突出状とされている。また、基部４２Ｌは、第１取付部材２５Ｌに対して機体幅方向Ｋ２に位置変更可能に（例えば、２位置に位置変更可能に）取り付けられている。したがって、第１伝動体３９Ｌ（第１植付装置３６Ｌ）は、駆動シャフト３１の一端部で該駆動シャフト３１の軸心方向に位置変更可能である。
【００６１】
伝動機構４４Ｌは、第１昇降機構４０Ｌに駆動シャフト３１の動力を伝達する。伝動機構４４Ｌは、駆動シャフト３１の一端部に軸受部材４５を介して取り付けられた第１スプロケット４６と、支持ケース４３Ｌの前部に設けられた伝動軸４９に一体回転可能に設けられた第２スプロケット４７と、第１スプロケット４６と第２スプロケット４７とに巻掛けられたチェーン４８とを有する。軸受部材４５は、駆動シャフト３１に対して一体回転可能で且つ軸心方向に移動可能である。
【００６２】
支持ケース４３Ｌ（第１伝動体３９Ｌ）の先端側は、第１連結材（側部フレーム）５０Ｌによって前フレーム材２９の左側部に連結されている。第１連結材５０Ｌの後部は、支持ケース４３Ｌの先端側に固定されている。第１連結材５０Ｌの前部は、前フレーム材２９に固定された取付ステー３５Ｌに機体幅方向Ｋ２に位置調整可能にボルト等によって取り付けられている。第１連結材（側部フレーム）５０Ｌは、前部フレーム２９の機体外方側（左部）から後方に延びている。
【００６３】
第２伝動体３９Ｒは、第１伝動体３９Ｌと構成が同様であるので省略して説明する。第２伝動体３９Ｒも、支持ケース４３Ｒと、この支持ケース４３Ｒに設けられた伝動機構４４Ｒとを有する。支持ケース４３Ｒは、基部（第２伝動体３９Ｒの基部）４２Ｒが第２取付部材２５Ｒの前面にボルト等によって機体幅方向Ｋ２に位置変更可能に固定されている。したがって、第２伝動体３９Ｒ（第２植付装置３６Ｒ）は、駆動シャフト３１の他端部で該駆動シャフト３１の軸心方向に位置変更可能である。伝動機構４４Ｒは、第２昇降機構４０Ｒに駆動シャフト３１の動力を伝達する。伝動機構４４Ｒは、伝動機構４４Ｌと同様に構成されている。
【００６４】
支持ケース４３Ｒ（第２伝動体３９Ｒ）の先端側は、第２連結材（側部フレーム）５０Ｒによって前フレーム材２９の左側部に連結されている。第２連結材５０Ｒの後部は、支持ケース４３Ｒの先端側に固定されている。第２連結材５０Ｒの前部は、前フレーム材２９に固定された取付ステー３５Ｒに機体幅方向Ｋ２に位置調整可能にボルト等によって取り付けられている。第２連結材（側部フレーム）５０Ｒは、前部フレーム２９の機体外方側（右部）から後方に延びている。
【００６５】
即ち、第１連結材５０Ｌ、第２連結材５０Ｒ、メインフレーム２４、第１取付部材２５Ｌ、第２取付部材２５Ｒ、支持ケース４３Ｌ、支持ケース４３Ｒ、前フレーム材２９によって、枠体が構成されている。これにより、第１植付装置３６Ｌ及び第２植付装置３６Ｒは枠体内に配置されていて保護されている。
図６に示すように、第１昇降機構４０Ｌと第２昇降機構４０Ｒとは駆動シャフト３１に沿う方向（機体幅方向Ｋ２）で並べて配置されている。第１昇降機構４０Ｌは、第１伝動体３９Ｌの前部の機体内方に配置されている。第１昇降機構４０Ｌは、支持ケース４３Ｌに伝動軸４９を介して回転自在に支持された第１回転ケース５１と、この第１回転ケース５１の遊端側に回転自在に支持された第２回転ケース５２とを有する。第２回転ケース５２の遊端側に第１支持体４１Ｌが支持され、第１支持体４１Ｌに第１植付具３７Ｌ及び第３植付具３８Ｌが取り付けられている。第１支持体４１Ｌの後部は、図示省略のスプリングによって吊り下げられている（上方に付勢されている）。
【００６６】
第１昇降機構４０Ｌにあっては、伝動軸４９によって第１回転ケース５１が回転駆動され、第１回転ケース５１の回転に連動して第２回転ケース５２が第１回転ケース５１とは逆方向に回転するように、第１回転ケース５１及び第２回転ケース５２内に動力伝達機構が設けられている。第１回転ケース５１が回転駆動されることにより第１支持体４１Ｌが昇降し、これに伴って第１植付具３７Ｌ及び第３植付具３８Ｌが昇降する。即ち、第１昇降機構４０Ｌは、第１伝動体３９Ｌに支持され且つ当該第１伝動体３９Ｌの動力によって第１植付具３７Ｌ及び第３植付具３８Ｌを昇降させる。
【００６７】
第２昇降機構４０Ｒは、第２伝動体３９Ｒの前部の機体内方に配置されている。第２昇降機構４０Ｒは、支持ケース４３Ｒに伝動軸４９を介して回転自在に支持された第１回転ケース５１と、この第１回転ケース５１の遊端側に回転自在に支持された第２回転ケース５２とを有する。第２回転ケース５２に第２支持体４１Ｒが支持され、第２支持体４１Ｒに第２植付具３７Ｒ及び第４植付具３８Ｒが取り付けられている。
【００６８】
第２昇降機構４０Ｒも、第１昇降機構４０Ｌと同様の構成で且つ同様に動作する。第２昇降機構４０Ｒにあっては、第１回転ケース５１が回転駆動されることにより第２支持体４１Ｒが昇降し、これにより第２植付具３７Ｒ及び第４植付具３８Ｒが昇降する。即ち、第２昇降機構４０Ｒは、第２伝動体３９Ｒに支持され且つ当該第２伝動体３９Ｒの動力によって第２植付具３７Ｒ及び第４植付具３８Ｒを昇降させる。
【００６９】
図６、図９に示すように、第１支持体４１Ｌは、第１昇降機構４０Ｌの機体内方側に配置されている。第１支持体４１Ｌは、第１植付具３７Ｌを支持する第１部材５３Ｌと、第３植付具３８Ｌを支持する第２部材５４Ｌと、第１部材５３Ｌと第２部材５４Ｌとを連結する複数の連結部材５５Ｌとを有する。第１部材５３Ｌと第２部材５４Ｌとは機体幅方向Ｋ２で間隔をあけて配置されている。複数の連結部材５５Ｌは、第１部材５３Ｌと第２部材５４Ｌとの間に配置されている。第１植付具３７Ｌは、第１部材５３Ｌの後部の機体内方側に配置されている。第３植付具３８Ｌは、第２部材５４Ｌの後部の機体外方側に配置されている。
【００７０】
図６、図９に示すように、第２支持体４１Ｒは、第２昇降機構４０Ｒの機体内方側に配置されている。第２支持体４１Ｒは、第２植付具３７Ｒを支持する第１部材５３Ｒと、第４植付具３８Ｒを支持する第２部材５４Ｒと、第１部材５３Ｒと第２部材５４Ｒとを連結する複数の連結部材５５Ｒとを有する。第１部材５３、第２部材５４及び複数の連結部材５５Ｒの構成は、第１支持体４１Ｌと同様であるので説明を省略する。第２植付具３７Ｒは、第１部材５３Ｒの後部の機体内方側に配置されている。第４植付具３８Ｒは、第２部材５４Ｒの後部の機体外方側に配置されている。
【００７１】
図１１に示すように、第１植付具３７Ｌは、第１支持体４１Ｌの第１部材５３Ｌに第１支持機構５６Ｌによって前後に開閉可能に支持されている。図１１を参照して、第２植付具３７Ｒ、第３植付具３８Ｌ及び第４植付具３８Ｒについても説明すると、第２植付具３７Ｒは、第２支持体４１Ｒの第１部材５３Ｒに第２支持機構５６Ｒによって前後に開閉可能に支持されている。第３植付具３８Ｌは、第１支持体４１Ｌの第２部材５４Ｌに第３支持機構５７Ｌによって前後に開閉可能に支持されている。第４植付具３８Ｒは、第２支持体４１Ｒの第２部材５４Ｒに第４支持機構５７Ｒによって前後に開閉可能に支持されている。
【００７２】
第１植付具３７Ｌ〜第４植付具３８Ｒの構造は同じであるので、第１植付具３７Ｌの構造を代表して説明し、第２植付具３７Ｒ〜第４植付具３８Ｒの説明は省略する。
図１０、図１１に示すように、第１植付具３７Ｌは、前側の第１構成部５８と、後側の第２構成部５９とを有する。第１植付具３７Ｌは、閉じた状態（第１構成部５８と第２構成部５９が前後方向Ｋ１で重なった状態）では、上方開口状で且つ側面視で下方に向けて先細りの形状を呈している。また、第１構成部５８と第２構成部５９とは、平面視において略円弧状に湾曲しており、開放側（凹面側）が互いに向き合って配置されている。第１植付具３７Ｌは、第１構成部５８と第２構成部５９とが前後方向Ｋ１で離反することで開く。
【００７３】
第１構成部５８の上部の前部側には、第１取付ブラケット６１が固定されている。第２構成部５９の上部の後部側には、第２取付ブラケット６２が固定されている。
第１支持機構５６Ｌ〜第４支持機構５７Ｒの構造は同じであるので、第１支持機構５６Ｌの構造を代表して説明し、第２支持機構５６Ｒ〜第４支持機構５７Ｒの説明は省略する。
【００７４】
図１０、図１１に示すように、第１支持機構５６Ｌは、第１揺動部材６３と、第２揺動部材６４と、第１取付具６５と、第２取付具６６とを有する。第１揺動部材６３の上部の前部は、第１支持体４１Ｌの第１部材５３Ｌに枢軸６７によって横軸回りに回転可能に支持されている。第２揺動部材６４の上部の後部は、第１支持体４１Ｌの第１部材５３Ｌに枢軸６８によって横軸回りに回転可能に支持されている。第１揺動部材６３の上部の後部には、係合部（ローラ）６９が設けられている。第２揺動部材６４の上部の前部には、前方に開放状の係合凹部７０が形成されている。係合凹部７０に係合部６９が挿入されて係合している。
【００７５】
第１取付具６５は、第１揺動部材６３に固定された第１プレート６５Ａと、第１プレート６５Ａに固定された第２プレート６５Ｂとを有する。第２プレート６５Ｂの下部は、第１プレート６５Ａから下方に突出している。この第２プレート６５Ｂの下部に、第１取付ブラケット６１がボルト等を介して取り付けられている。
第２取付具６６は、第２揺動部材６４に固定された第３プレート６６Ａと、第３プレート６６Ａに固定された第４プレート６６Ｂとを有する。第４プレート６６Ｂの下部は、第３プレート６６Ａから下方に突出している。この第４プレート６６Ｂの下部に、第２取付ブラケット６２がボルト等を介して取り付けられている。
【００７６】
また、第１支持機構５６Ｌは、第１植付具３７Ｌを閉じる方向に付勢するスプリング７１を有している。
図１１において、第１揺動部材６３が枢軸６７回りに前後に揺動すると、それに伴って第１構成部５８が前後に揺動すると共に係合部６９が上下動する。係合部６９が上下動すると、第２揺動部材６４が枢軸６８回りに前後に揺動して第２構成部５９が前後に揺動する。これにより、第１植付具３７Ｌが前後に開閉する。第２植付具３７Ｒ、第３植付具３８Ｌ及び第４植付具３８Ｒも同様の動作で前後に開閉する。
【００７７】
図１０、図１１に示すように、第１植付装置３６Ｌは、第１植付具３７Ｌを開閉させる第１開閉機構７２Ｌを有している。第２植付装置３６Ｒは、第２植付具３７Ｒを開閉させる第２開閉機構７２Ｒを有している。第１開閉機構７２Ｌと第２開閉機構７２Ｒとは同様の構成であるので、第１開閉機構７２Ｌを説明し、第２開閉機構７２Ｒの説明は省略する。
【００７８】
第１開閉機構７２Ｌは、カム７３と、カムローラ７４と、カムリンク７５と、開閉ロッド７６とを有する。カム７３は、第２回転ケース５２の遊端側に設けられていて、第２回転ケース５２の回転に伴って回転する。カム７３は、径外方向の突出量が大きい押圧部７３ａと、径外方向の突出量が小さい押圧解除部７３ｂとを有する。カムローラ７４はカム７３の外周に当接する。カムリンク７５は、上部が第１部材５３Ｌに枢軸７８によって横軸回りに回転自在に支持されている。カムリンク７５の上下中途部にカムローラ７４が枢支されている。開閉ロッド７６の一端部は、カムリンク７５の下部に枢支連結され、開閉ロッド７６の他端部は、第１揺動部材６３の下部に枢支連結されている。
【００７９】
第１植付具３７Ｌの昇降経路の上死点位置の手前から下死点位置の手前までは、カムローラ７４が押圧解除部７３ｂに当接していて、第１植付具３７Ｌは閉じている。第１植付具３７Ｌが圃場に突入した際に、カムローラ７４が押圧部７３ａに乗り上げる。すると、カムローラ７４がカム７３に押圧されてカムリンク７５が枢軸７８回りに前方に揺動する。カムリンク７５が前方に揺動すると、開閉ロッド７６を介して第１構成部５８が引かれて第１植付具３７Ｌが開く。
【００８０】
第２植付具３７Ｒも第２開閉機構７２Ｒによって同様の動作で開閉する。
図１０に示すように、第１植付装置３６Ｌは、第１開閉機構７２Ｌに連動して第３植付具３８Ｌを開閉させる第１連動機構８１Ｌを有している。第２植付装置３６Ｒは、第２開閉機構７２Ｒに連動して第４植付具３８Ｒを開閉させる第２連動機構８１Ｒを有している。第１連動機構８１Ｌと第２連動機構８１Ｒとは同様の構成であるので、第１連動機構８１Ｌを説明し、第２連動機構８１Ｒの説明は省略する。
【００８１】
図１０に示すように、第１連動機構８１Ｌは、連動リンク８２と、連結部材８３と、連結ロッド８４とを有する。連動リンク８２は、上部が第１支持体４１Ｌの第２部材５４に枢軸８５によって横軸回りに回転可能に支持されている。枢軸８５は、枢軸７８と同芯状に設けられている。連動リンク８２は、下部の前部が連結部材８３によってカムリンク７５に連結されている。これにより、連動リンク８２は、カムリンク７５と一体揺動する。連結ロッド８４の一端部は、連動リンク８２の下部に枢支連結されている。連結ロッド８４の他端部は、第３植付具３８Ｌの第１構成部５８を揺動可能に支持する第１揺動部材６３に枢支連結されている。
【００８２】
以上の第１開閉機構７２Ｌにあっては、カムリンク７５の前後の揺動に連動して連動リンク８２が揺動することで、連結ロッド８４を介して第３植付具３８Ｌが開閉する。これと同様の動作で、第４植付具３８Ｒは、第２連動機構８１Ｒによって第２植付具３７Ｒの開閉動作に連動して開閉する。
図８に示すように、移植機１は、苗供給部１２の第１苗供給装置１２Ｌと第２苗供給装置１２Ｒから供給される苗を植付具に案内するガイド部材を備えている。ガイド部材は、第１中継ガイド８７Ｌと第２中継ガイド８７Ｒとを含む。
【００８３】
第１植付装置３６Ｌには、第１植付具３７Ｌ及び第３植付具３８Ｌに苗を案内する第１中継ガイド８７Ｌが設けられている。また、第２植付装置３６Ｒには、第２植付具３７Ｒ及び第４植付具３８Ｒに苗を案内する第２中継ガイド８７Ｒが設けられている。第１中継ガイド８７Ｌは、第１苗供給装置１２Ｌの第１位置Ｘ１及び第２位置Ｘ２（図１０参照）の下方に設けられている。第２中継ガイド８７Ｒは、第２苗供給装置１２Ｒの第１位置Ｘ１及び第２位置Ｘ２の下方に設けられている。別の言い方をすれば、第１中継ガイド８７Ｌ及び第２中継ガイド８７Ｒは、第１位置Ｘ１及び第２位置Ｘ２にある苗供給カップ１４Ａ，１４Ｂの下方に位置する。
【００８４】
第１中継ガイド８７Ｌは、第１植付具３７Ｌに苗を案内する第１ガイド８８Ｌと、第３植付具３８Ｌに苗を案内する第３ガイド８９Ｌとを含む。第２中継ガイド８７Ｒは、第２植付具３７Ｒに苗を案内する第２ガイド８８Ｒと、第４植付具３８Ｒに苗を案内する第４ガイド８９Ｒとを含む。第１ガイド８８Ｌ、第２ガイド８８Ｒ、第３ガイド８９Ｌ、第４ガイド８９Ｒは、下方に向けて先細りの形状であって上部及び下部が開放された四角錐状（又は円錐状）に形成されている。
【００８５】
図９に示すように、第１ガイド８８Ｌは、第１支持体４１Ｌの第１部材５３Ｌに取り付けられ、第３ガイド８９Ｌは、第１支持体４１Ｌの第２部材５４Ｌに取り付けられている。第２ガイド８８Ｒは、第２支持体４１Ｒの第１部材５３Ｒに取り付けられ、第４ガイド８９Ｒは、第２支持体４１Ｒの第２部材５４Ｒに取り付けられている。
第１位置Ｘ１及び第２位置Ｘ２において苗供給カップ１４Ａ，１４Ｂから落下した苗は、第１中継ガイド８７Ｌ、第２中継ガイド８７Ｒを介して、第１植付具３７Ｌ、第２植付具３７Ｒ、第３植付具３８Ｌ、第４植付具３８Ｒへと受け渡される。即ち、上下方向における苗供給カップ１４Ａ，１４Ｂと第１中継ガイド８７Ｌ及び第２中継ガイド８７Ｒとの間の空間は、苗供給部１２から移植部１１への苗の受け渡し部７７Ｌ，７７Ｒ（図８参照）である。
【００８６】
ここで、第１植付具３７Ｌ、第３植付具３８Ｌ、第１中継ガイド８７Ｌは同時に昇降し、第２植付具３７Ｒ、第４植付具３８Ｒ、第２中継ガイド８７Ｒは同時に昇降する。そして、苗供給部１２から移植部１１への苗の受け渡しは、植付具及びガイド部材が上昇したときに行われる。そのため、受け渡し部７７Ｌは、第１植付具３７Ｌ、第３植付具３８Ｌ、第１中継ガイド８７Ｌが上昇したときにおける苗供給カップ１４Ａ，１４Ｂと第１中継ガイド８７Ｌとの間の空間（図８の右部参照）である。また、受け渡し部７７Ｒは、第２植付具３７Ｒ、第４植付具３８Ｒ、第２中継ガイド８７Ｒが上昇したときにおける苗供給カップ１４Ａ，１４Ｂと第２中継ガイド８７Ｒとの間の空間である（図８の左部参照）。
【００８７】
尚、左側の植付具等（第１植付具３７Ｌ、第３植付具３８Ｌ、第１中継ガイド８７Ｌ）と右側の植付具等（第２植付具３７Ｒ、第４植付具３８Ｒ、第２中継ガイド８７Ｒ）とは交互に上昇するが、図８では、説明の便宜上、左側の植付具等と右側の植付具等の両方が上昇した状態を示している。
図１２は、原動機Ｅ１からの動力を移植部１１及び苗供給部１２に伝達する動力伝達機構１１１の構成を示す図である。原動機Ｅ１からの動力は、ミッションケースＭ１に伝達された後、伝達軸や歯車機構等を介してクラッチハウジングＣ１に伝達される。クラッチハウジングＣ１には歯車機構等からなる動力分岐部が収容されており、クラッチハウジングＣ１に伝達された動力は、一方と他方に分岐して出力される。一方に出力された動力は、移植部１１の駆動シャフト３１（図６、図７参照）に伝達される。他方に出力された動力は、苗供給部１２に伝達される。
【００８８】
クラッチハウジングＣ１から苗供給部１２へと動力を伝達する動力伝達経路には、動力遮断機構１３０が設けられている。動力遮断機構１３０は、動力伝達機構１１１による苗供給部１２への動力の伝達を許容又は遮断することができる。
動力遮断機構１３０は、第１伝達軸１３１と、第２伝達軸１３２と、中継部１３３と、を有している。第１伝達軸１３１には、原動機Ｅ１からの動力がミッションケースＭ１及びクラッチハウジングＣ１を介して伝達される。第２伝達軸１３２は、クラッチハウジングＣ１から出力された動力を苗供給部１２に伝達する。
【００８９】
図１２、図１３に示すように、第１伝達軸１３１は動力遮断機構１３０の下部に配置され、第２伝達軸１３２は動力遮断機構１３０の上部に配置されている。第１伝達軸１３１と第２伝達軸１３２との間には、中継部１３３が配置されている。図１４、図１５に示すように、中継部１３３は、第１円板１３４、第２円板１３５、環状板１３６、付勢部材１３７を有している。
【００９０】
第１円板１３４は、第１伝達軸１３１の上部に固定されている。第２円板１３５は、第２伝達軸１３２の下部に固定されている。第１円板１３４の上面と第２円板１３５の下面とは対向して配置されている。第１円板１３４の直径は、第２円板１３５の直径よりも大きい。第１円板１３４には、第１穴１３４ａと第２穴１３４ｂが形成されている。第１穴１３４ａは、第２穴１３４ｂよりも内側（円板の中心に近い側）に配置されている。第２円板１３５には、第３穴１３５ａが形成されている。第１穴１３４ａと第３穴１３５ａとは、上下方向に重なる位置に配置されている。
【００９１】
環状板１３６は、第２円板１３５の上方に配置されている。環状板１３６は、内径が第２円板１３５の外径よりも小さく、外径が第２円板１３５の外径よりも大きい。環状板１３６には、第４穴１３６ａが形成されている。第４穴１３６ａは、第２穴１３４ｂと上下方向に重なる位置に配置されている。
付勢部材１３７は、バネ１３７ａと球体１３７ｂとから構成されている。球体１３７ｂは、バネ１３７ａの上端部に固定されている。球体１３７ｂの直径は、第３穴１３５ａの直径よりも大きい。バネ１３７ａの下端部は、第１円板１３４の第１穴１３４ａに嵌合されている。球体１３７ｂは、上部のみが第２円板１３５の第３穴１３５ａに嵌まっている。バネ１３７ａは、球体１３７ｂを第３穴１３５ａに押し付けるように上方に向けて付勢している。
【００９２】
環状板１３６と第１円板１３４とは、ボルトＢＬとナットＮＴの螺合によって固定される。ボルトＢＬの軸部は、環状板１３６の第４穴１３６ａから第１円板１３４の第２穴１３４ｂに挿通され、当該軸部にナットＮＬが螺合される。これにより、環状板１３６と第１円板１３４とが相対的に回転不能に固定される。第２円板１３５は、環状板１３６と第１円板１３４との間に挟まれる。
【００９３】
苗供給部１２に対して動作を妨げる力が加わっていない場合、第２円板１３５には回転を妨げる力が作用しない。この場合、第１伝達軸１３１の回転に伴って第１円板１３４が回転すると、第１円板１３４の回転力は付勢部材１３７を介して第２円板１３５に伝達される。このとき、付勢部材１３７の球体１３７ｂの上部は第３穴１３５ａに嵌まった状態にあるため、球体１３７ｂが第１伝達軸１３１の軸回りに回転することによって、第２円板１３５に回転力が伝達される。これにより、第２円板１３５が回転し、第２伝達軸１３２が回転する。つまり、第１伝達軸１３１の回転は、第２伝達軸１３２に伝達される。言い換えれば、動力遮断機構１３０は、動力の伝達を許容する。
【００９４】
苗供給部１２に対して動作を妨げる力が加わった場合、第２円板１３５に回転を妨げる力が作用する。この場合、第１伝達軸１３１の回転に伴って第１円板１３４が回転すると、付勢部材１３７が第１伝達軸１３１の軸回りに回転するが、第２円板１３５の回転が妨げられているため、球体１３７ｂが第３穴１３５ａから離脱する。そのため、第１円板１３４の回転力は、第２円板１３５に伝達されない。つまり、第１円板１３４は、第２円板１３５に対して空回りする。これにより、第１伝達軸１３１の回転は、第２伝達軸１３２に伝達されない。言い換えれば、動力遮断機構１３０は、動力の伝達を遮断する。
【００９５】
動力遮断機構１３０が動力の伝達を許容する場合、クラッチハウジングＣ１から他方に出力された動力は、動力遮断機構１３０を介して苗供給部１２に伝達される。具体的には、クラッチハウジングＣ１から他方に出力された動力は、動力遮断機構１３０を介して第３スプロケット１２４に伝達され、第３スプロケット１２４を回転させる。第３スプロケット１２４は、第２苗供給装置１２Ｒの駆動スプロケット１８の下方に配置されており、当該駆動スプロケット１８と接続されている。そのため、第３スプロケット１２４の回転に伴って、第２苗供給装置１２Ｒの駆動スプロケット１８が回転する。これにより、第２苗供給装置１２Ｒの従動スプロケット１９及び移送チェーン２０が回転する。
【００９６】
第１苗供給装置１２Ｌの駆動スプロケット１８の下方には、第４スプロケット１２５が配置されている。第３スプロケット１２４及び第４スプロケット１２５には、チェーン１２６が巻き掛けられている。第４スプロケット１２５の上方には第１歯車１２７が配置されている。第１歯車１２７は、第４スプロケット１２５と接続されており、第４スプロケット１２５の回転に伴って回転する。第１歯車１２７には第２歯車１２８が噛み合っている。第２歯車１２８は、第１苗供給装置１２Ｌの駆動スプロケット１８の下方に配置されており、当該駆動スプロケット１８と接続されている。
【００９７】
クラッチハウジングＣ１から他方に出力された動力によって第３スプロケット１２４が回転すると、この回転がチェーン１２６により伝達されて第４スプロケット１２５が回転する。第４スプロケット１２５が回転すると、第１歯車１２７及び第２歯車１２８が回転し、第１苗供給装置１２Ｌの駆動スプロケット１８が回転する。これにより、第１苗供給装置１２Ｌの従動スプロケット１９及び移送チェーン２０が回転する。
【００９８】
動力遮断機構１３０が動力の伝達を遮断する場合、クラッチハウジングＣ１から他方に出力された動力は、苗供給部１２に伝達されない。具体的には、クラッチハウジングＣ１から他方に出力された動力が第３スプロケット１２４に伝達されないため、第１苗供給装置１２Ｌ及び第２苗供給装置１２Ｒの移送機構の動作が停止する。
上述した動力遮断機構１３０が設けられていることにより、例えば、作業者が誤って苗供給部１２の移送チェーン２０と支持枠体２２との間に指を挟んだ場合など、苗供給部１２に対して動作を妨げる力が加わった場合、原動機Ｅ１から苗供給部１２への動力の伝達が遮断される。これにより、苗供給部１２の動作（移送チェーン２０の回転等の移送機構の動作）が停止するため、作業者が怪我をしたり、苗供給部１２が破損したりすることが防止できる。
【００９９】
図９、図１６〜図１８に示すように、移植機１は、ガイド部材（第１ガイド８８Ｌ、第２ガイド８８Ｒ、第３ガイド８９Ｌ、第４ガイド８９Ｒ）に水を導くチューブ（以下、「灌水チューブ」ともいう）９４，９５を備えている。チューブ９４，９５には、後述する灌水タンクから水が供給される。チューブ９４，９５は、屈曲可能なゴム等の素材から構成されている。
【０１００】
チューブ９４，９５は、第１チューブ９４Ｌ、第２チューブ９４Ｒ、第３チューブ９５Ｌ、第４チューブ９５Ｒを含む。第１チューブ９４Ｌは、第１ガイド８８Ｌに水を導く。第２チューブ９４Ｒは、第２ガイド８８Ｒに水を導く。第３チューブ９５Ｌは、第３ガイド８９Ｌに水を導く。第４チューブ９５Ｒは、第４ガイド８９Ｒに水を導く。
チューブ９４，９５の先端部は、ガイド部材に対する相対位置が固定されている。具体的には、第１チューブ９４Ｌの先端部は、第１ガイド８８Ｌに対する相対位置が固定されている。第２チューブ９４Ｒの先端部は、第２ガイド８８Ｒに対する相対位置が固定されている。第３チューブ９５Ｌの先端部は、第３ガイド８９Ｌに対する相対位置が固定されている。第４チューブ９５Ｒの先端部は、第４ガイド８９Ｒに対する相対位置が固定されている。
【０１０１】
図１７に示すように、第１チューブ９４Ｌは、主チューブ９４Ｌａと、分岐部９４Ｌｂと、分岐チューブ９４Ｌｃとを有している。主チューブ９４Ｌａは、基端側が給水ポンプ（図示せず）を介して灌水タンクと接続されている。分岐部９４Ｌｂは、主チューブ９４Ｌａの先端側に設けられており、１つの入口ポートと２つの出口ポートとを有している。入口ポートには、主チューブ９４Ｌａの先端部が接続されている。分岐チューブ９４Ｌｃは、分岐部９４Ｌｂの２つの出口ポートにそれぞれ接続されている。これにより、１本の主チューブ９４Ｌａから導かれた水は、２本の分岐チューブ９４Ｌｃに分かれて流通する。分岐部９４Ｌｂから複数（２つ）に分岐された分岐チューブ９４Ｌｃは、後述する複数（２つ）の装着部９６Ａ，９６Ｂにそれぞれ装着されている。
【０１０２】
第２チューブ９４Ｒ、第３チューブ９５Ｌ、第４チューブ９５Ｒの構成は、第１チューブ９４Ｌと同様である。図１７に示すように、第２チューブ９４Ｒは、第１チューブ９４Ｌと同様の主チューブ９４Ｒａ、分岐部９４Ｒｂ、分岐チューブ９４Ｒｃを有する。第３チューブ９５Ｌも、第１チューブ９４Ｌと同様の主チューブ９５Ｌａ、分岐部９５Ｌｂ、分岐チューブ９５Ｌｃを有する。第４チューブ９５Ｒも、第１チューブ９４Ｌと同様の主チューブ９５Ｒａ、分岐部９５Ｒｂ、分岐チューブ９５Ｒｃを有する。
【０１０３】
図９、図１７、図１８に示すように、ガイド部材（第１ガイド８８Ｌ、第２ガイド８８Ｒ、第３ガイド８９Ｌ、第４ガイド８９Ｒ）は、ガイド部材に対するチューブ９４，９５の先端部の位置を保持するための装着部９６を有している。装着部９６は、上部と下部が開放された円筒状であって、チューブ９４，９５の先端部が上部から差し込まれることによって装着される。
【０１０４】
各ガイド部材（第１ガイド８８Ｌ、第２ガイド８８Ｒ、第３ガイド８９Ｌ、第４ガイド８９Ｒ）の装着部９６の構成は同様である。
図１７、図１８に示すように、装着部９６は、２つの装着部９６Ａ，９６Ｂを含む。一方の装着部９６Ａには、第１チューブ９４Ｌの２本の分岐チューブ９４Ｌｃのうちの一方の分岐チューブの先端部が装着される。他方の装着部９６Ｂには、第１チューブ９４Ｌの２本の分岐チューブ９４Ｌｃのうちの他方の分岐チューブの先端部が装着される。
【０１０５】
図１７に示すように、第１チューブ９４Ｌの主チューブ９４Ｌａ及び第４チューブ９５Ｒの主チューブ９５Ｒａは、結束具１５１によって前フレーム材（前部フレーム）２９及び第２連結材（側部フレーム）５０Ｒに沿って取り付けられている。詳しくは、主チューブ９４Ｌａ、９５Ｒａの基端側は、結束具１５１によって第２連結材（側部フレーム）５０Ｒに沿って取り付けられて、後方から前方に向けて延びている。主チューブ９４Ｌａの先端側は、前フレーム材（前部フレーム）２９に沿って結束具１５２によって取り付けられて左方に延びた後、後方に向けて延びて分岐部９４Ｌｂと接続されている。主チューブ９５Ｒａの先端側は、前フレーム材（前部フレーム）２９に沿って左方に延びた後、後方に向けて延びて分岐部９５Ｌｂと接続されている。
【０１０６】
また、第２チューブ９４Ｒの主チューブ９４Ｒａ及び第３チューブ９５Ｌの主チューブ９５Ｌａは、結束具１５３によって前フレーム材（前部フレーム）２９及び第１連結材（側部フレーム）５０Ｌに沿って取り付けられている。詳しくは、主チューブ９４Ｒａ、９５Ｌａの基端側は、結束具１５３によって第１連結材（側部フレーム）５０Ｌに沿って取り付けられて、後方から前方に向けて延びている。主チューブ９４Ｒａの先端側は、前フレーム材（前部フレーム）２９に沿って結束具１５２によって取り付けられて右方に延びた後、後方に向けて延びて分岐部９４Ｒｂと接続されている。主チューブ９５Ｌａの先端側は、前フレーム材（前部フレーム）２９に沿って右方に延びた後、後方に向けて延びて分岐部９５Ｒｂと接続されている。
【０１０７】
尚、上述した結束具１５１，１５２，１５３による結束位置は、適宜変更することができる。また、結束具の数を増加又は減少することもできる。
図１９、図２０に示すように、移植機１は、畝に接地する複数の接地部材１６０と、接地部材１６０を機体２に対して揺動可能に支持する複数の支持部材１７０と、支持部材１７０の揺動に基づいて畝高さを検出する畝高さ検出部材１８０と、を備えている。
【０１０８】
接地部材１６０は、畝の上面を転動することによって、畝の高さを検出すると共に、苗植付装置３６Ｌ，３６Ｒにより植え付けられた苗の周囲を土で覆う覆土輪として機能する。接地部材１６０は、第１接地部材１６１Ｌと、第２接地部材１６１Ｒと、第３接地部材１６２Ｌと、第４接地部材１６２Ｒと、を含む。第１接地部材１６１Ｌ、第２接地部材１６１Ｒ、第３接地部材１６２Ｌ、第４接地部材１６２Ｒは、それぞれ一対（２つ）の接地ローラから構成されている。
【０１０９】
図１９に示すように、第１接地部材１６１Ｌは、第１植付具３７Ｌ側に設けられている。第２接地部材１６１Ｒは、第２植付具３７Ｒ側に設けられている。第３接地部材１６２Ｌは、第３植付具３８Ｌ側に設けられている。第４接地部材１６２Ｒは、第４植付具３８Ｒ側に設けられている。
詳しくは、第１接地部材１６１Ｌは、第１植付具３７Ｌの機体幅方向の一方側（左側）に配置された一方接地部材１６１Ｌａと、第１植付具３７Ｌの機体幅方向の他方側（右側）に配置された他方接地部材１６１Ｌｂと、を含む。第２接地部材１６１Ｒは、第２植付具３７Ｒの機体幅方向の一方側（左側）に配置された一方接地部材１６１Ｒａと、第２植付具３７Ｒの機体幅方向の他方側（右側）に配置された他方接地部材１６１Ｒｂと、を含む。第３接地部材１６２Ｌは、第３植付具３８Ｌの機体幅方向の一方側（左側）に配置された一方接地部材１６２Ｌａと、第３植付具３８Ｌの機体幅方向の他方側（右側）に配置された他方接地部材１６２Ｌｂと、を含む。第４接地部材１６２Ｒは、第４植付具３８Ｒの機体幅方向の一方側（左側）に配置された一方接地部材１６２Ｒａと、第４植付具３８Ｒの機体幅方向の他方側（右側）に配置された他方接地部材１６２Ｒｂと、を含む。
【０１１０】
図１９に示すように、支持部材１７０は、第１支持部材１７１Ｌと、第２支持部材１７１Ｒと、第３支持部材１７２Ｌと、第４支持部材１７２Ｒと、を含む。第１支持部材１７１Ｌは、第１接地部材１６１Ｌを機体２に対して上方又は下方に揺動可能に支持する。第２支持部材１７１Ｒは、第２接地部材１６１Ｒを機体２に対して上方又は下方に揺動可能に支持する。第３支持部材１７２Ｌは、第３接地部材１６２Ｌを機体２に対して上方又は下方に揺動可能に支持する。第４支持部材１７２Ｒは、第４接地部材１６２Ｒを機体２に対して上方又は下方に揺動可能に支持する。
【０１１１】
第１支持部材１７１Ｌ及び第２支持部材１７１Ｒは、機体幅方向の中央部に配置されている。具体的には、第１支持部材１７１Ｌ及び第２支持部材１７１Ｒは、機体幅方向の中央部を挟んで隣り合う位置に配置されている。第３支持部材１７２Ｌ及び第４支持部材１７２Ｒは、第１支持部材１７１Ｌ及び第２支持部材１７１Ｒに対して機体外方側に配置されている。
【０１１２】
第１支持部材１７１Ｌ〜第４支持部材１７２Ｒの構造は同じであるため、第１支持部材１７１Ｌの構造を代表して説明し、第２支持部材１７１Ｒ〜第４支持部材１７２Ｒの構造の説明は省略する。
図１９、図２０に示すように、第１支持部材１７１Ｌは、支持アーム１７３と揺動アーム１７４とを有する。
【０１１３】
支持アーム１７３は、第１接地部材１６１Ｌを回転可能に支持する。支持アーム１７３は、第１接地部材１６１Ｌを構成する一対の接地ローラの一方を支持する一方アーム１７３Ｌと、当該一対の接地ローラの他方を支持する他方アーム１７３Ｒと、連結アーム１７３Ｍと、を含む。一方アーム１７３Ｌは、一端部（下端部）が第１接地部材１６１Ｌの一方接地部材１６１Ｌａを回転可能に支持している。他方アーム１７３Ｒは、一端部（下端部）が第１接地部材１６１Ｌの他方接地部材１６１Ｌｂを回転可能に支持している。一方アーム１７３Ｌと他方アーム１７３Ｒは、他端部（上端部）同士が連結アーム１７３Ｍにより連結されている。
【０１１４】
揺動アーム１７４は、支持アーム１７３を機体２に対して上方又は下方に揺動可能に支持する。揺動アーム１７４は、一端部（下端部）が支持アーム１７３の連結アーム１７３Ｍに接続され、連結アーム１７３Ｍから斜め前上方に延びている。揺動アーム１７４の他端部（上端部）は、機体幅方向に延びる軸体１７５に取り付けられている。軸体１７５は、前フレーム材２９の下方に軸支持体１７６を介して支持されており、軸心回りに回転可能である。軸体１７５が軸心回りに回転することによって、第１支持部材１７１Ｌ（揺動アーム１７４及び支持アーム１７３）が機体２に対して上方又は下方に揺動する。これにより、第１接地部材１６１Ｌが接地する畝の高さ（起伏）の変化に対応して、第１支持部材１７１Ｌが機体２に対して上方又は下方に揺動する。
【０１１５】
同様に、第２支持部材１７１Ｒ、第３支持部材１７２Ｌ、第４支持部材１７２Ｒは、第２接地部材１６１Ｒ、第３接地部材１６２Ｌ、第４接地部材１６２Ｒが接地する畝の高さ（起伏）の変化にそれぞれ対応して、機体２に対して上方又は下方に揺動する。
図２０に示すように、軸体１７５は、連動機構１７８を介して調整レバー１４０Ｌ，１４０Ｒと接続されている。調整レバー１４０Ｌ，１４０Ｒは、覆土輪（接地部材）１６０による覆土圧を調整するためのレバーである。図２７に示すように、調整レバー１４０Ｌと調整レバー１４０Ｒとは、機体幅方向に並んで配置されている。調整レバー１４０Ｌ，１４０Ｒとは、独立して上方又は下方に揺動可能である。
【０１１６】
調整レバー１４０Ｌ，１４０Ｒを上方又は下方に揺動させることにより、軸体１７５を軸回りに回動させることができる。
調整レバー１４０Ｌを上方（矢印Ｄ１方向）に回動させると、軸体１７５が左側面視にて時計回りに回動し、第１支持部材１７１Ｌ（揺動アーム１７４及び支持アーム１７３）が機体２に対して下方（矢印Ｅ１方向）に揺動する。これにより、左側の覆土輪（第１接地部材１６１Ｌ、第３接地部材１６２Ｌ）による覆土圧が高くなる。
【０１１７】
調整レバー１４０Ｌを下方（矢印Ｄ２方向）に回動させると、軸体１７５が左側面視にて反時計回りに回動し、第１支持部材１７１Ｌ（揺動アーム１７４及び支持アーム１７３）が機体２に対して上方（矢印Ｅ２方向）に揺動する。これにより、左側の覆土輪（第１接地部材１６１Ｌ、第３接地部材１６２Ｌ）による覆土圧が低くなる。
同様に、調整レバー１４０Ｒを上方に回動させると、右側の覆土輪（第２接地部材１６１Ｒ、第４接地部材１６２Ｒ）による覆土圧が高くなる。また、調整レバー１４０Ｒを下方に回動させると、右側の覆土輪（第２接地部材１６１Ｒ、第４接地部材１６２Ｒ）による覆土圧が低くなる。
【０１１８】
図１９に示すように、畝高さ検出部材１８０は、複数の支持部材（第１〜第４支持部材）のうち、機体幅方向の中央部に配置された第１支持部材１７１Ｌと第２支持部材１７１Ｒとを連結している。機体外方側に配置された第３支持部材１７２Ｌ及び第４支持部材１７２Ｒは、畝高さ検出部材１８０とは連結されていない。
畝高さ検出部材１８０は、検出部１８１と連動部１８２とを有する。
【０１１９】
検出部１８１は、第１縦部材１８１Ｌと、第２縦部材１８１Ｒと、横部材１８１Ｈと、を有する。第１縦部材１８１Ｌは、一端部（下端部）が第１支持部材１７１Ｌの支持アーム１７３に接続され、当該支持アーム１７３から上方に延びている。第２縦部材１８１Ｒは、一端部（下端部）が第２支持部材１７１Ｒの支持アーム１７３に接続され、当該支持アーム１７３から上方に延びている。横部材１８１Ｈは、第１縦部材１８１Ｌの他端部（上端部）と第２縦部材１８１Ｒの他端部（上端部）とを接続している。検出部１８１は、第１接地部材１６１Ｌと第２接地部材１６１Ｒが接地する畝の高さの変化に追従する第１支持部材１７１Ｌ及び第２支持部材１７１Ｒの揺動に基づいて上昇又は下降することにより、畝の高さを検出する。
【０１２０】
連動部１８２は、第１支持部材１７１Ｌ及び第２支持部材１７１Ｒの揺動と、機体昇降機構による機体２の昇降とを連動させる。連動部１８２は、一端部が検出部１８１（横部材１８１Ｈ）に接続されており、他端部はケーブル等の連携部材を介して上述の昇降制御弁のスプールと接続されている。連動部１８２は、検出部１８１の上昇又は下降に対応して昇降制御弁のスプールを移動させる。昇降制御弁のスプールの移動によって、昇降シリンダのロッドが動作し、車輪に対して機体２を昇降させる。具体的には、検出部１８１が上昇したときは車輪に対して機体２が上昇し、検出部１８１が下降したときは車輪に対して機体２が下降する。これにより、畝の高さの変化に追従して機体２を昇降させることができる。
【０１２１】
畝高さ検出部材１８０は、複数の支持部材（第１支持部材１７１Ｌと第２支持部材１７１Ｒ）を連結し、当該複数の支持部材の揺動に基づいて畝高さを検出することによって、少なくとも２つの畝の高さを考慮して畝高さを検出することができる。これにより、複数の畝の高さのばらつきを考慮した平均的な畝高さを正確に検出することができる。
図１９に示すように、機体幅方向に隣り合う支持部材１７０は、連結部材１７７により連結されている。具体的には、連結部材１７７は、第１支持部材１７１Ｌと第３支持部材１７２Ｌとを連結し、第２支持部材１７１Ｒと第４支持部材１７２Ｒとを連結している。連結部材１７７は、ボルト等によって、機体幅方向に隣り合う支持部材１７０（第１支持部材１７１Ｌと第３支持部材１７２Ｌ、第２支持部材１７１Ｒと第４支持部材１７２Ｒ）にそれぞれ接続される。尚、連結部材１７７の形状は、図示のような平板状の部材には限定されない。
【０１２２】
図４３〜図４５等に示すように、移植機１はカバー１９０を備えている。カバー１９０は、機体２の前部に取り付けられている。
図２１〜図２４に示すように、カバー１９０は、前板部１９０Ｆと側板部１９０Ｌ，１９０Ｒとを有している。前板部１９０Ｆと側板部１９０Ｌ，１９０Ｒとは一体に構成されている。前板部１９０Ｆと側板部１９０Ｌ，１９０Ｒとは一体成形品とすることが好ましいが、別部材として成形した後で組み合わせてもよい。
【０１２３】
前板部１９０Ｆは、上方から下方に向かうにつれて前方に移行するように傾斜している。前板部１９０Ｆは、中央部１９０ＦＭと、左部１９０ＦＬと、右部１９０ＦＲとを有している。中央部１９０ＦＭは、機体幅方向Ｋ２に延びている。左部１９０ＦＬは、中央部１９０ＦＭの左端から左方（機体外方）に向かうにつれて後方に移行するように湾曲している。右部１９０ＦＲは、中央部１９０ＦＭの右端から右方（機体外方）に向かうにつれて後方に移行するように湾曲している。中央部１９０ＦＭには、後方に向けて筒状に延出する延出部１９０ａが設けられている。延出部１９０ａにより囲まれる領域に開口部１９０ｂが形成されている。前板部１９０Ｆの前方と後方とは開口部１９０ｂを介して連通している。開口部１９０ｂが延出部１９０ａにより囲まれる領域に形成されていることによって、開口部１９０ｂによるカバー１９０の強度低下を抑制することができる。
【０１２４】
延出部１９０ａは、四角筒状に形成されており、上壁部１９０ａＵ、下壁部１９０ａＤ、左壁部１９０ａＬ、右壁部１９０ａＲを有している。上壁部１９０ａＵは、後方に向かうにつれて下方に移行している。下壁部１９０ａＤは、後方に向けて水平に延びている。左壁部１９０ａＬは、後方に向かうにつれて右方に移行している。右壁部１９０ａＲは、後方に向かうにつれて左方に移行している。これにより、開口部１９０ｂの面積（正面視の面積）は、前方に向かうにつれて次第に拡大している。
【０１２５】
側板部１９０Ｌ，１９０Ｒは、膨出部１９０Ｌａ，１９０Ｒａを有している。膨出部１９０Ｌａは、側板部１９０Ｌの下部に設けられている。膨出部１９０Ｒａは、側板部１９０Ｒの下部に設けられている。膨出部１９０Ｌａは、左方に向けて膨らんでいる。膨出部１９０Ｒａは、右方に向けて膨らんでいる。これにより、膨出部１９０Ｌａ，１９０Ｒは、カバー１９０を機体２に取り付けた状態において、機体２から離れる方向（機体外方）に向けて膨らむ。
【０１２６】
カバー１９０は、機体２に対して取り付けるための取付部１９１を有している。取付部１９１は、第１貫通孔１９１ａ、第２貫通孔１９１ｂ、係止部１９１ｃを有している。第１貫通孔１９１ａは、前板部１９０Ｆの左部１９０ＦＬと右部１９０ＦＲとにそれぞれ設けられている。第２貫通孔１９１ｂは、側板部１９０Ｌと側板部１９０Ｒとにそれぞれ設けられている。第２貫通孔１９１ｂは、側板部１９０Ｌ，１９０Ｒの上部（膨出部１９０Ｌａ，１９０Ｒよりも上方）に設けられている。係止部１９１ｃは、膨出部１９０Ｌａと膨出部１９０Ｒａとにそれぞれ設けられている。係止部１９１ｃは、膨出部１９０Ｌａの下縁及び膨出部１９０Ｒａの下縁を上方に向けて切り欠いて形成されている。
【０１２７】
図２５〜図２７に示すように、カバー１９０の取付部１９１は、機体２に設けられた第１取付部材１９２、第２取付部材１９３、第３取付部材１９４に対して取り付けられる。尚、図２６では、カバー１９０の左側にある取付部１９１の取り付け構造を示しているが、カバー１９０の右側にある取付部１９１の取り付け構造も同様である。
図２５〜図２７に示すように、取付部１９１の第１貫通孔１９１ａは、第１取付部材１９２に対して取り付けられる。図１６、図１７に示すように、第１取付部材１９２は、第１連結材５０Ｌ及び第２連結材５０Ｒの前部に取り付けられている。第１取付部材１９２には、ねじ孔が設けられている。カバー１９０の第１貫通孔１９１ａにボルトＢＬ１を挿通し、当該ボルトＢＬ１を第１取付部材１９２のねじ孔に螺合することにより、取付部１９１が第１貫通孔１９１ａにおいて第１取付部材１９２に取り付けられる。
【０１２８】
図２５〜図２７に示すように、取付部１９１の第２貫通孔１９１ｂは、第２取付部材１９３に対して取り付けられる。第２取付部材１９３は、支持枠体２２の左枠材２２Ｌの前部及び右枠材２２Ｒの前部にそれぞれ取り付けられている。第２取付部材１９３には、ねじ孔が設けられている。カバー１９０の第２貫通孔１９１ｂにボルトＢＬ２を挿通し、当該ボルトＢＬ２を第２取付部材１９３のねじ孔に螺合することにより、取付部１９１が第２貫通孔１９１ｂにおいて第２取付部材１９３に取り付けられる。
【０１２９】
取付部１９１の係止部１９１ｃは、第３取付部材１９４に対して取り付けられる。図２５、図２６に示すように、第３取付部材１９４は、支柱１７Ｌ，１７Ｒに取り付けられている。図４３、図４５に示すように、支柱１７Ｌ，１７Ｒは、デッキ１０Ｌ，１０Ｒの前部に立設されている。第３取付部材１９４には、機体外方に向けて突出する突出部１９４ａが設けられている。突出部１９４ａは、例えばネジの頭から構成される。カバー１９０の係止部１９１ｃを突出部１９４ａに対して係止することにより、取付部１９１が係止部１９１ｃにおいて第３取付部材１９４に対して取り付けられる。
【０１３０】
上述のように、取付部１９１を、第１取付部材１９２、第２取付部材１９３、第３取付部材１９４に対して取り付けることにより、カバー１９０が機体２に取り付けられる。
図２７、図４３に示すように、カバー１９０の上縁は、機体２に取り付けられた状態において、支持枠体２２の周縁に沿う。詳しくは、前板部１９０Ｆの上縁は、支持枠体２２の前面（前枠材２２Ｆの前板２２ｄ）に沿う。側板部１９０Ｌの上縁は、支持枠体２２の左側面（左枠材２２Ｌの左側板２２ｂ）に沿う。側板部１９０Ｒの上縁は、支持枠体２２の右側面（右枠材２２Ｒの右側板２２ｃ）に沿う。
【０１３１】
図１９、図２０に仮想線で示すように、カバー１９０は、機体２に取り付けられた状態において、少なくとも苗供給部１２から移植部１１への苗の受け渡し部７７Ｌ，７７Ｒの前方及び側方を覆う。詳しくは、前板部１９０Ｆは受け渡し部７７Ｌ，７７Ｒの前方を覆い、側板部１９０Ｌ，１９０Ｒは受け渡し部７７Ｌ，７７Ｒの側方を覆う。これにより、カバー１９０は、前方及び側方からの風除けとして機能する。そのため、強風や突風等に影響を受けることなく、苗供給部１２から移植部１１への苗の受け渡しを円滑に且つ確実に行うことができる。
【０１３２】
図１９に示すように、カバー１９０は、植付具及び中継ガイドが上昇した状態と下降した状態のいずれにおいても、苗供給カップ１４Ａ，１４Ｂの下端から中継ガイド（第１中継ガイド８７Ｌ及び第２中継ガイド８７Ｒ）の上端までの範囲を覆う。また、カバー１９０は、上昇位置にある植付具（図１９では第１植付具３７Ｒと第３植付具３８Ｒ）の大部分を覆い、下降位置にある植付具（図１９では第２植付具３７Ｌと第４植付具３８Ｌ）は覆わない。
【０１３３】
図１７に仮想線で示すように、膨出部１９０Ｌａ，１９０Ｒａには、灌水チューブ９４，９５が収容される。具体的には、膨出部１９０Ｌａ，１９０Ｒａには、第１連結材（側部フレーム）５０Ｌ及び第２連結材（側部フレーム）５０Ｒの機体外方側に位置する灌水チューブ９４，９５が収容される。
図１７に仮想線で示すように、カバー１９０は、前フレーム材２９、第１連結材（側部フレーム）５０Ｌ、第２連結材（側部フレーム）５０Ｒの上方を覆うように、平面視Ｕ字状に設けられている。膨出部１９０Ｌａ，１９０Ｒａは、灌水チューブ９４，９５の側方を覆う。また、前板部１９０Ｆは灌水チューブ９４，９５の前方を覆う。
【０１３４】
詳しくは、膨出部１９０Ｌａ，１９０Ｒａは、第１連結材（側部フレーム）５０Ｌと第２連結材（側部フレーム）５０Ｒに沿って配策された灌水チューブ９４，９５の側方を覆う。前板部１９０Ｆは、前フレーム材２９に沿って配策された灌水チューブ９４，９５の前方を覆う。これにより、灌水チューブ９４，９５に他の物体が接触したり引っ掛かったりして、灌水チューブ９４，９５が外れること等が防がれる。
【０１３５】
図４３、図４５に示すように、カバー１９０が機体２に取り付けられた状態において、カバー１９０の後縁は、椅子１３Ｌ，１３Ｒよりも前方に位置している。また、図４４に示すように、カバー１９０の膨出部１９０Ｌａ，１９０Ｒａは、機体２に対して左方及び右方（機体外方）に膨らんでいる。これにより、膨出部１９０Ｌａ，１９０Ｒａと機体２との間に空間が形成され、当該空間の後方が開放される。そのため、椅子１３Ｌ，１３Ｒに着座した作業者は、膨出部１９０Ｌａ，１９０Ｒａの後方からカバー１９０に覆われた部分（受け渡し部７７Ｌ，７７Ｒ等）を視認することができる。
【０１３６】
カバー１９０は、透明又は透光性を有する素材から構成されている。カバー１９０は、定形性を有している。カバー１９０は、例えば、アクリル樹脂、ポリカーボネート、ポリエチレンテレフタレート、ポリプロピレン、ＡＢＳ樹脂、ポリ塩化ビニル等の樹脂（硬質樹脂）や、ガラス等から構成される。但し、カバー１９０を構成する素材はこれらに限定されない。カバー１９０が、透明又は透光性を有することにより、カバー１９０に覆われた部分（受け渡し部７７Ｌ，７７Ｒ等）を移植機１の前方や側方から視認することができる。そのため、カバー１９０を取り外さなくともカバー１９０に覆われた部分の状態を確認することができる。
【０１３７】
図２０、図２７、図４３に示すように、前板部１９０Ｆに形成された開口部１９０ｂには、調整レバー１４０Ｌ，１４０Ｒが前方に向けて挿通されている。開口部１９０ｂの後方近傍にはレバーの位置と覆土圧との関係を記した設定板２０１が配置されている。設定板２０１には、上下方向に延びる長穴が形成されており、当該長穴に調整レバー１４０Ｌ，１４０Ｒが挿通されている。調整レバー１４０Ｌ，１４０Ｒは、当該長穴に沿って揺動可能であり、且つ長穴に沿う複数の位置で固定することによって覆土圧を設定することができる。
【０１３８】
調整レバー１４０Ｌ，１４０Ｒの周囲は四角筒状の延出部１９０ａによって囲われており、調整レバー１４０Ｌ，１４０Ｒの前端部はカバー１９０からは突出していない。そのため、調整レバー１４０Ｌ，１４０Ｒへの意図しない接触を防ぐことができる。
次に、図２８、図２９、図４５を参照して、椅子１３Ｌ，１３Ｒの支持構造について説明する。尚、図２８、図２９、図４５では、第１椅子１３Ｌの支持構造を示しているが、第２椅子１３Ｒの支持構造も同様である。
【０１３９】
椅子１３Ｌ，１３Ｒは、車輪支持体７Ｌ，７Ｒに支持されている。詳しくは、第１椅子１３Ｌは、車輪支持体７Ｌに支持されている。第２椅子１３Ｒは、車輪支持体７Ｒに支持されている。
車輪支持体７Ｌ，７Ｒは、それぞれ伝動ケース１００を有している。原動機Ｅ１の動力は、ミッションケースＭ１内の変速機構を介して出力軸１０２から出力され、伝動ケース１００内の伝動機構（歯車機構、伝達軸等）を介して後輪４Ｌ，４Ｒの車軸に伝達される。これにより、原動機Ｅ１の動力によって後輪４Ｌ，４Ｒが駆動される。伝動ケース１００は、機体２に対して揺動可能に設けられている。具体的には、伝動ケース１００は、機体２に対して横軸回り（出力軸１０２の軸回り）に揺動可能に設けられている。
【０１４０】
椅子１３Ｌ，１３Ｒは、支持機構１０３によって伝動ケース１００に支持されている。図２８、図２９に示すように、支持機構１０３は、支柱１０４と、ブラケット１０５と、支軸１０６と、連結部材１０７と、を有している。
支柱１０４は、後輪４Ｌ，４Ｒの機体外方側に配置されている。支柱１０４は、例えば、円筒や六角筒等の筒状のパイプから構成される。支柱１０４の下部は、ブラケット１０５に接続されている。図３０に示すように、支柱１０４の上部には、椅子１３Ｌ，１３Ｒの座部１３ａの下面から下方に延びる接続棒３０が嵌入される。
【０１４１】
接続棒３０は、円筒状や六角筒状のパイプから構成される。接続棒３０は、支柱１０４に対して外嵌又は内嵌が可能な太さに形成される。図３０、図４３から分かるように、支柱１０４に嵌入される接続棒３０は、椅子１３Ｌ，１３Ｒの座部１３ａの中心からずれた位置に設けられている。具体的には、接続棒３０は、椅子１３Ｌの座部１３ａの幅方向中心から右方にずれた位置から下方に延びている。また、接続棒３０は、椅子１３Ｒの座部１３ａの幅方向中心から左方にずれた位置から下方に延びている。
【０１４２】
図４３〜図４５に示すように、支柱１０４は、機体２の一側方（左側）に配置された支柱１０４Ｌと、機体２の他側方（右側）に配置された支柱１０４Ｒと、を含む。支柱１０４Ｌには、椅子１３Ｌの接続棒３０が嵌入される。支柱１０４Ｒには、椅子１３Ｒの接続棒３０が嵌入される。
椅子１３Ｌ，１３Ｒは、接続棒３０を上方から支柱１０４に嵌入することによって、苗供給部１２の側方に装着される。言い換えれば、支柱１０４は、椅子１３Ｌ，１３Ｒを苗供給部１２の側方に装着するための装着部（以下、「第１装着部１０４」という）を構成している。椅子１３Ｌ，１３Ｒは、接続棒３０を支柱１０４Ｌ、１０４Ｒから引き抜くことによって、第１装着部１０４から取り外すことができる。つまり、椅子１３Ｌ，１３Ｒは、第１装着部１０４に対して着脱可能である。また、第１装着部１０４に装着するときの椅子１３Ｌ，１３Ｒの向きは、支柱１０４の中心軸回りに変更することができる。
【０１４３】
尚、本明細書においては、特に説明がない限り、椅子１３Ｌ，１３Ｒが第１装着部１０４に装着されている状態（図４３（実線で示す）、図４４、図４５参照）を基準として、椅子１３Ｌ，１３Ｒと他の構成要素との位置関係を説明している。
図２８、図２９に示すように、ブラケット１０５は、第１側板１０５ａと、第２側板１０５ｂと、連結部１０５ｃとを有している。第１側板１０５ａは、支柱１０４の機体内方側に配置されており、後輪４Ｌ，４Ｒと支柱１０４の間に位置している。第２側板１０５ｂは、支柱１０４の機体外方側に配置されており、第１側板１０５ａと対向している。連結部１０５ｃは、機体幅方向に延びており、第１側板１０５ａの上部と第２側板１０５ｂの上部、及び、第１側板１０５ａの後部と第２側板１０５ｂの後部を接続している。
【０１４４】
ブラケット１０５は、伝動ケース１００に枢支されている。詳しくは、ブラケット１０５は、伝動ケース１００の伝動軸ケース１００ｃに設けられた枢支板１００ｄに対して、第１枢支軸１４１によって枢支されている。枢支板１００ｄは、伝動ケース１００から上方に向けて延出している。枢支板１００ｄは、互いに対向して配置された第１枢支板１００ｄ１と第２枢支板１００ｄ２とを含む。第１枢支板１００ｄ１は、第２側板１０５ｂの機体内方側に配置されている。第２枢支板１００ｄ２は、第１側板１０５ａの機体外方側に配置されている。第１枢支軸１４１は、機体幅方向に延びており、第１側板１０５ａ、第２側板１０５ｂ、第１枢支板１００ｄ１、第２枢支板１００ｄ２を貫通している。これにより、ブラケット１０５は、伝動ケース１００に対して第１枢支軸１４１回りに揺動可能である。
【０１４５】
支軸１０６は、機体２から側方に突出している。支軸１０６の一端側（機体内方側）は、機体２に固定されており、機体２から機体外方に向けて延びている。支軸１０６は、出力軸１０２の上方且つ後方に配置されている。
連結部材１０７は、内板１０７ａと、外板１０７ｂと、上板１０７ｃとを有している。内板１０７ａは、支柱１０４の機体内方側に配置され、支柱１０４と後輪４Ｌ，４Ｒの間に位置している。外板１０７ｂは、支柱１０４の機体外方側に配置され、内板１０７ａと対向している。上板１０７ｃは、支柱１０４の前方において、内板１０７ａの上部と外板１０７ｂの上部とを連結している。
【０１４６】
連結部材１０７の一端側（前側）は、支軸１０６の他端側（機体外方側）に枢支されている。これにより、連結部材１０７は、支軸１０６回りに上方又は下方に揺動可能である。連結部材１０７の他端側（後側）は、ブラケット１０５に枢支されている。詳しくは、連結部材１０７の他端側は、ブラケット１０５に対して、第２枢支軸１４２によって枢支されている。連結部材１０７の他端側は、伝動ケース１００の上方であって、枢支板１００ｄよりも上方に配置されている。内板１０７ａの他端側は、ブラケット１０５の第１側板１０５ａの機体外方側に配置されている。外板１０７ｂの他端側は、ブラケット１０５の第２側板１０５ｂの機体内方側に配置されている。ブラケット１０５には筒体１０５ｄが固定されており、第２枢支軸１４２は筒体１０５ｄに対して回動可能に支持されている。第２枢支軸１４２は、機体幅方向に延びており、内板１０７ａ、外板１０７ｂ、筒体１０５ｄを貫通している。これにより、ブラケット１０５は、連結部材１０７の他端側に対して、第２枢支軸１４２回りに上方又は下方に揺動可能である。第２枢支軸１４２は、第１枢支軸１４１の上方に位置している。支柱１０４、ブラケット１０５、連結部材１０７は、支軸１０６に対して椅子１３Ｌ，１３Ｒを支持する椅子支持体を構成している。
【０１４７】
ブラケット１０５、連結部材１０７、出力軸１０２、支軸１０６、第１枢支軸１４１、第２枢支軸１４２は、４節リンク機構を構成している。伝動ケース１００が出力軸１０２の軸回りに上方又は下方に揺動した場合、ブラケット１０５は上方又は下方に移動する。従って、伝動ケース１００が出力軸１０２の軸回りに揺動した場合において、ブラケット１０５が取り付けられた支柱１０４を、傾かせることなく昇降させることができる。そのため、支柱１０４に支持された椅子１３Ｌ，１３Ｒに着座した作業者の姿勢が損なわれることがない。また、第１枢支軸１４１と第２枢支軸１４２などによって椅子１３Ｌ、１３Ｒに座った作業者の体重を分散して支えることができる。
【０１４８】
伝動ケース１００は、出力軸１０２に沿ってスライドして機体幅方向に移動可能となっている。連結部材１０７は、支軸１０６に沿ってスライドして機体幅方向に移動可能となっている。伝動ケース１００及び連結部材１０７は、ブラケット１０５を介して接続されているため、一体的に機体幅方向（機体外方又は機体内方）に移動可能である。伝動ケース１００及び連結部材１０７が機体外方に移動すると、椅子１３Ｌ，１３Ｒ及び後輪４Ｌ，４Ｒが機体外方に移動して機体２から離反する。伝動ケース１００及び連結部材１０７が機体内方に移動すると、椅子１３Ｌ，１３Ｒ及び後輪４Ｌ，４Ｒが機体内方に移動して機体２に接近する。つまり、伝動ケース１００、出力軸１０２、連結部材１０７、支軸１０６は、椅子１３Ｌ，１３Ｒ及び後輪４Ｌ，４Ｒを機体２に対して近接又は離反させる移動機構を構成している。
【０１４９】
移動機構によって、椅子１３Ｌ，１３Ｒ及び後輪４Ｌ，４Ｒは、機体幅方向の一方側であって且つ機体２に対して接近する方向と、機体幅方向の一方側であって且つ機体２に対して離反する方向とに移動可能となる。
図４２は、椅子１３Ｌ，１３Ｒ及び後輪４Ｌ，４Ｒを機体２に対して近接させた状態（以下、「接近状態」という）を示している。図４３は、椅子１３Ｌ，１３Ｒ及び後輪４Ｌ，４Ｒを機体２に対して離反させた状態（以下、「離反状態」という）を示している。
【０１５０】
また、移動機構によって、椅子１３Ｌ，１３Ｒが装着される第１装着部１０４も、機体幅方向の一方側であって且つ機体２に対して接近する方向と、機体幅方向の一方側であって且つ機体２に対して離反する方向とに移動可能となる。具体的には、第１装着部１０４は、苗供給部１２の側方の第１位置（図４３に示す位置）と、当該第１位置よりも苗供給部１２に接近する第２位置（図４２に示す位置）とに移動可能となる。
【０１５１】
図４３〜図４５に示すように、移植機１は、少なくとも後輪４Ｌ，４Ｒのトレッド部（接地部）を覆う保護カバー１１０Ｌ，１１０Ｒを備えている。保護カバー１１０Ｌは、後輪４Ｌの上方であって且つ椅子１３Ｌの下方に配置されている。保護カバー１１０Ｒは、後輪４Ｒの上方であって且つ椅子１３Ｒの下方に配置されている。
図３１、図４３、図４５に示すように、移植機１は、作業者が椅子１３Ｌ，１３Ｒに乗降するときに足掛かりとする（足を載せる）乗降ステップ１２０Ｌ，１２０Ｒを備えている。乗降ステップ１２０Ｌは、機体幅方向の一方側（左側）に配置されている。乗降ステップ１２０Ｒは、機体幅方向の一方側（右側）に配置されている。尚、図３１は、乗降ステップ１２０Ｌの周辺構造を示しているが、乗降ステップ１２０Ｒの周辺構造も同様である。
【０１５２】
乗降ステップ１２０Ｌ，１２０Ｒは、機体２と後輪（車輪）４Ｌ，４Ｒとの間で且つ椅子１３Ｌ，１３Ｒの前方又は後方に設けられている。本実施形態の場合、乗降ステップ１２０Ｌは、機体２と後輪４Ｌとの間で且つ椅子１３Ｌの後方に設けられている。また、乗降ステップ１２０Ｒは、機体２と後輪４Ｒとの間で且つ椅子１３Ｒの後方に設けられている。
【０１５３】
また、乗降ステップ１２０Ｌは、機体幅方向において、椅子１３Ｌと第１把持部９１Ｌとの間に設けられている。乗降ステップ１２０Ｒは、機体幅方向において、椅子１３Ｒと第２把持部９１Ｒとの間に設けられている。
また、乗降ステップ１２０Ｌは、灌水タンクを載置する載置台１２１Ｌと後輪（車輪）４Ｌとの間に位置している。乗降ステップ１２０Ｒは、載置台１２１Ｒと後輪（車輪）４Ｒとの間に位置している。載置台１２１Ｌは、機体２の左側部の後方寄り位置に固定されており、機体２と後輪（車輪）４Ｌとの間に位置している。載置台１２１Ｒは、機体２の右側部の後方寄り位置に固定されており、機体２と後輪（車輪）４Ｒとの間に位置している。
【０１５４】
図３１に示すように、載置台１２１Ｌは、載置板１２１ａと、前側板１２１ｂと、後側板１２１ｃと、を有している。図３１、図４３に示すように、載置台１２１Ｌは、機体２から機体外方に延びる第１支持体１２２Ａ及び第２支持体１２２Ｂによって支持されている。第１支持体１２２Ａは、載置板１２１ａの底面と接続されており、載置台１２１Ｌに載置された灌水タンクの底面を支持することができる。第２支持体１２２Ｂは、載置台１２１Ｌの後側板１２１ｃと接続されており、載置台１２１Ｌに載置された灌水タンクの後面を支持することができる。前側板１２１ｂは、デッキ１０Ｌの後部に固定されている。載置台１２１Ｒの構成及び取り付け構造は、載置台１２１Ｌと同様である。
【０１５５】
図４４、図４５に示すように、椅子１３Ｌ，１３Ｒの下方には、灌水タンクを保持可能な保持体１２３Ｌ，１２３Ｒが設けられている。保持体１２３Ｌは、椅子１３Ｌの下方であって且つ後輪４Ｌの左方に灌水タンクを保持することができる。保持体１２３Ｒは、椅子１３Ｒの下方であって且つ後輪４Ｒの左方に灌水タンクを保持することができる。これにより、載置台１２１Ｌ，１２１Ｒに灌水タンクを載置することもできるし、保持体１２３Ｌ，１２３Ｒに灌水タンクを保持させることもできる。
【０１５６】
図３１に示すように、乗降ステップ１２０Ｌ，１２０Ｒは、ステップ板１２０ａと、前接続板１２０ｂと、後接続板１２０ｃと、を有している。ステップ板１２０ａは、作業者がデッキ１０Ｌ，１０Ｒに乗降する際に足を乗せる板である。前接続板１２０ｂは、ステップ板１２０ａの前部から上方に延びている。後接続板１２０ｃは、ステップ板１２０ａの後部から上方に延びている。前接続板１２０ｂ及び後接続板１２０ｃの機体内方側の端部は、載置台１２１Ｌ，１２１Ｒに接続されている。これにより、乗降ステップ１２０Ｌ，１２０Ｒは、機体内方側が載置台１２１Ｌ，１２１Ｒに接続されている。
【０１５７】
図３１に矢印及び仮想線で示すように、乗降ステップ１２０Ｌ，１２０Ｒは、載置台１２１Ｌ，１２１Ｒに対して上方又は下方に揺動可能となっている。これにより、乗降ステップ１２０Ｌ，１２０Ｒは、椅子１３Ｌ，１３Ｒの下方に向けてステップ部１２０ａを延ばす第１姿勢（図３１の実線を参照）と、機体２側にステップ部１２０ａを収納する（折り畳む）第２姿勢（図３１の仮想線を参照）とに姿勢変更が可能である。
【０１５８】
図３１、図４３に示すように、ステップ板１２０ａは、第１姿勢において、一方面を上方に向けて、他方面を下方に向けて、地面と略平行（略水平）となるように配置される。ステップ板１２０ａは、第１姿勢において、椅子１３Ｌ，１３Ｒの座面よりも低い位置に設けられる。より詳しくは、ステップ板１２０ａは、支軸１０６よりも低い位置に設けられる。乗降ステップ１２０Ｌ，１２０Ｒを第１姿勢とすることにより、作業者は、ステップ板１２０ａを足掛りとして（ステップ板１２０ａに乗って）椅子１３Ｌ，１３Ｒに乗降することができる。詳しくは、移植機１の後輪４Ｌ，４Ｒが畝間（畝溝）にある状態において、作業者は畝間を通って後輪４Ｌ，４Ｒの後方からステップ板１２０ａに足を載せて把持部９１Ｌ，９１Ｒを手で把持しながら椅子１３Ｌ，１３Ｒに乗ることができる。また、作業者は、把持部９１Ｌ，９１Ｒを手で把持しながら椅子１３Ｌ，１３Ｒからステップ板１２０ａへと移って畝間へと降りることもできる。
【０１５９】
また、図４２に示すように、ステップ板１２０ａは、第２姿勢において、一方面を機体内方に向けて、他方面を機体外方に向けて、地面に対して略直角（略垂直）となるように配置される。乗降ステップ１２０Ｌ，１２０Ｒを第２姿勢とする（折り畳む）ことにより、椅子１３Ｌ，１３Ｒ及び後輪４Ｌ，４Ｒを機体２に対して近接させることができる（図４２参照）。乗降ステップ１２０Ｌ，１２０Ｒを第２姿勢とし、椅子１３Ｌ，１３Ｒ及び後輪４Ｌ，４Ｒを機体２に対して近接させることにより、移植機１の幅（機体幅方向の長さ）を短くすることができる。これにより、移植機１を運搬するときの取り扱い性（可搬性）が向上し、また保管時に必要なスペースを小さくすることができる。
【０１６０】
椅子１３Ｌ，１３Ｒ及び後輪４Ｌ，４Ｒを機体２に対して近接又は離反させる操作は、上述した移動機構によって行うことができる。移動機構は、乗降ステップ１２０Ｌ，１２０Ｒが第２位置にあるとき、椅子１３Ｌ，１３Ｒ及び後輪４Ｌ，４Ｒを機体２に対して近接可能とする。
また、図４３に示すように、移植機１は、第２乗降ステップ１２９Ｌ，１２９Ｒを備えている。第２乗降ステップ１２９Ｌは、機体幅方向の一方側（左側）に配置されている。第２乗降ステップ１２９Ｒは、機体幅方向の他方側（右側）に配置されている。第２乗降ステップ１２９Ｌ，１２９Ｒは、平面視Ｌ字型に形成されている。
【０１６１】
第２乗降ステップ１２９Ｌは、乗降ステップ１２０Ｌの前方であって且つ椅子１３Ｌと機体２との間に配置されている。第２乗降ステップ１２９Ｒは、乗降ステップ１２０Ｒの前方であって且つ椅子１３Ｒと機体２との間に配置されている。
第２乗降ステップ１２９Ｌ，１２９Ｒも、乗降ステップ１２０Ｌ，１２０Ｒと同様に。椅子１３Ｌ，１３Ｒの下方に向けて延ばす第１姿勢と、機体２側に収納する（折り畳む）第２姿勢とに姿勢変更が可能である。椅子１３Ｌ，１３Ｒ及び後輪４Ｌ，４Ｒを機体２に対して近接させる際には、第２乗降ステップ１２９Ｌ，１２９Ｒを第２姿勢とする。
【０１６２】
図３１、図４３、図４５に示すように、第２支持体１２２Ｂには、第２支柱１５５Ｌ，１５５Ｒが固定されている。第２支柱１５５Ｌ，１５５Ｒは、支柱１０４と同様に、円筒状や六角筒状のパイプから構成される。
第２支柱１５５Ｌ，１５５Ｒは、第２支持体１２２Ｂの後面の機体外方側に固定されている。第２支柱１５５Ｌ，１５５Ｒは、第２支持体１２２Ｂから上方に延びている。第２支柱１５５Ｌは、機体２の一側方（左側）に配置されている。第２支柱１５Ｒは、機体２の他側方（右側）に配置されている。図４１に示すように、第２支柱１５５Ｌ，１５５Ｒは、上方に向かうにつれて機体外方に向かうように若干傾斜している。
【０１６３】
第２支柱１５５Ｌは、支柱１０４Ｌの後方且つ機体内方（右方）に配置されている。第２支柱１５５Ｒは、支柱１０４Ｒの後方且つ機体内方（左）に配置されている。第２支柱１５５Ｌは、苗供給部１２の左後方に配置されている。第２支柱１５５Ｒは、苗供給部１２の右後方に配置されている。
図３０に示すように、第２支柱１５５Ｌ，１５５Ｒの上部には、椅子１３Ｌ，１３Ｒの座部１３ａの下面から下方に延びる接続棒３０を嵌入することができる。椅子１３Ｌ，１３Ｒは、接続棒３０を上方から第２支柱１５５Ｌ，１５５Ｒに嵌入することによって、第２支柱１５５Ｌ，１５５Ｒに装着される。図４２、図４３の仮想線に示すように、第２支柱１５５Ｌ，１５５Ｒに装着された椅子１３Ｌ，１３Ｒは、第１装着部１０４よりも機体内方に位置する。言い換えれば、第２支柱１５５Ｌ，１５５Ｒは、椅子１３Ｌ，１３Ｒを第１装着部１０４よりも機体内方に装着するための装着部（以下、「第２装着部１５５」という）を構成している。
【０１６４】
椅子１３Ｌ，１３Ｒは、第２装着部１５５に対して着脱可能である。また、第２装着部１５５に装着するときの椅子１３Ｌ，１３Ｒの向きは、第２装着部（第２支柱）１５５の中心軸回りに変更することができる。図４２、図４３の仮想線で示すように、本実施形態の場合、第２装着部１５５に装着された椅子１３Ｌ，１３Ｒは、椅子１３Ｌが左前方を向き、椅子１３Ｒが右前方を向いている。
【０１６５】
椅子１３Ｌ，１３Ｒは、第２装着部１５５に装着された状態で、苗供給部１２の後方に配置される。また、椅子１３Ｌ，１３Ｒの機体内方側の端部は、第２装着部１５５に装着された状態で、苗供給部１２よりも機体内方に配置される。
椅子１３Ｌと椅子１３Ｒとの距離は、第２装着部１５５に装着した状態（図４２、図４３に仮想線で示す）の距離が、第１装着部１０４に装着した状態（図４２、図４３に実線で示す）の距離と比べて近くなる。そのため、移植機１を運搬する場合や収納するときには、椅子１３Ｌ，１３Ｒを第１装着部１０４から取り外して第２装着部１５５に装着することによって、移植機１の幅（機体幅方向の長さ）を短くすることができる。
【０１６６】
図４２の仮想線に示すように、椅子１３Ｌ，１３Ｒを第２装着部１５５に装着したときの移植機１の幅は、第１装着部１０４に装着した椅子１３Ｌ，１３Ｒを移動機構によって機体２に近接させたときの移植機１の幅よりも短い。そのため、椅子１３Ｌ，１３Ｒを第２装着部１５５に装着することで、移植機１を運搬するときの取り扱い性（可搬性）が更に向上し、また保管時に必要なスペースをより小さくすることができる。
【０１６７】
図３２〜図３４に示すように、移植機１は支持フレーム２００を備えることができる。支持フレーム２００は、後述する幌部材２２０を機体２上に支持するフレームである。支持フレーム２００は、機体２上に設けられている。支持フレーム２００は、機体２に対して着脱可能である。支持フレーム２００は、円筒状のパイプ等から構成される。
図３６等に示すように、支持フレーム２００は、縦フレーム２０１Ｆ，２０１Ｂ、第１横フレーム２０２Ｌ，２０２Ｒ、第２横フレーム２０３Ｆ，２０３Ｂ、連結材２０４Ｃ、接続フレーム２０５Ｌ，２０５Ｒを有している。
【０１６８】
縦フレーム２０１Ｆは、支持フレーム２００の前部に位置している。縦フレーム２０１Ｂは、支持フレーム２００の後部に位置している。図３２に示すように、縦フレーム２０１Ｆは、支持枠体２２の天板２２ａに対して傾斜しており、上方に向かうにつれて後方に移行するように傾斜して延びている。縦フレーム２０１Ｂは、支持枠体２２の天板２２ａに対して垂直上方に延びている。
【０１６９】
図３６等に示すように、縦フレーム２０１Ｆは、機体幅方向Ｋ２に並んだ４本の縦フレーム（縦フレーム２０１Ｆ１、縦フレーム２０１Ｆ２、縦フレーム２０１Ｆ３、縦フレーム２０１Ｆ４）を含む。縦フレーム２０１Ｆ１は、最も左側に配置されている。縦フレーム２０１Ｆ２は、最も右側に配置されている。縦フレーム２０１Ｆ３は、縦フレーム２０１Ｆ１と縦フレーム２０１Ｆ２との間に配置されている。縦フレーム２０１Ｆ４は、縦フレーム２０１Ｆ２と縦フレーム２０１Ｆ３との間に配置されている。４本の縦フレーム２０１Ｆ１，２０１Ｆ２，２０１Ｆ３，２０１Ｆ４は、同じ長さであって、互いに平行に配置されている。
【０１７０】
縦フレーム２０１Ｂは、機体幅方向Ｋ２に並んだ４本の縦フレーム（縦フレーム２０１Ｂ１、縦フレーム２０１Ｂ２、縦フレーム２０１Ｂ３、縦フレーム２０１Ｂ４）を含む。縦フレーム２０１Ｂ１は、最も左側に配置されている。縦フレーム２０１Ｂ２は、最も右側に配置されている。縦フレーム２０１Ｂ３は、縦フレーム２０１Ｂ１と縦フレーム２０１Ｂ２との間に配置されている。縦フレーム２０１Ｂ４は、縦フレーム２０１Ｂ２と縦フレーム２０１Ｂ３との間に配置されている。縦フレーム２０１Ｂ１と縦フレーム２０１Ｂ２とは、互いに平行に配置されている。縦フレーム２０１Ｂ３と縦フレーム２０１Ｂ４とは、下方に向かうにつれて互いに接近するように配置されている。
【０１７１】
縦フレーム２０１Ｂ３の中途部と縦フレーム２０１Ｂ４の中途部との間には、機体幅方向Ｋ２に延びる架設部材２１１が掛け渡されている。縦フレーム２０１Ｂ３の下端部と縦フレーム２０１Ｂ４の下端部とは、接続板２１２により接続されている。
縦フレーム２０１Ｂ１と縦フレーム２０１Ｂ２とは長さが等しい。縦フレーム２０１Ｂ３と縦フレーム２０１Ｂ４とは長さが等しい。縦フレーム２０１Ｂ１及び縦フレーム２０１Ｂ２の長さは、縦フレーム２０１Ｂ３及び縦フレーム２０１Ｂ４の長さよりも短い。
【０１７２】
縦フレーム２０１Ｂ１の下部と縦フレーム２０１Ｂ２の下部とは、連結されていない。また、縦フレーム２０１Ｂ１と縦フレーム２０１Ｂ３との間、及び、縦フレーム２０１Ｂ２と縦フレーム２０１Ｂ４との間も連結されていない。そのため、支持フレーム２００内への出入りを、縦フレーム２０１Ｂ１と縦フレーム２０１Ｂ３との間、及び、縦フレーム２０１Ｂ２と縦フレーム２０１Ｂ４との間から行うことができる。
【０１７３】
第１横フレーム２０２Ｌは、支持フレーム２００の左上部に位置している。第１横フレーム２０２Ｌは、前後方向Ｋ１に延びており、縦フレーム２０１Ｆ１の上端部と縦フレーム２０１Ｂ１の上端部とを接続している。第１横フレーム２０２Ｒは、支持フレーム２００の右上部に位置している。第１横フレーム２０２Ｒは、前後方向Ｋ１に延びており、縦フレーム２０１Ｆ２の上端部と縦フレーム２０１Ｂ２の上端部とを接続している。
【０１７４】
第２横フレーム２０３Ｆは、支持フレーム２００の前上部に位置している。第２横フレーム２０３Ｆは、上部フレーム２０３ＦＵと下部フレーム２０３ＦＤとを有している。
上部フレーム２０３ＦＵは、支持フレーム２００の前上部に位置している。上部フレーム２０３ＦＵは、中間部材２０３ＵＭと外部材２０３ＵＬ，２０３ＵＲとを有している。中間部材２０３ＵＭは、筒状の部材であって、長さ方向の中心が機体幅方向Ｋ２の中心に配置されている。外部材２０３ＵＬ，２０３ＵＲは、中間部材２０３ＵＭに対して機体外方に延びている。具体的には、外部材２０３ＵＬは、中間部材２０３ＵＭに対して左方に延びている。外部材２０３ＵＲは、中間部材２０３ＵＭに対して右方に延びている。
【０１７５】
上部フレーム２０３ＦＵは、縦フレーム２０１Ｆ１〜２０１Ｆ４の上部に取り付けられている。中間部材２０３ＵＭの左部は、縦フレーム２０１Ｆ３の上部に取り付けられている。中間部材２０３ＵＭの右部は、縦フレーム２０１Ｆ４の上部に取り付けられている。外部材２０３ＵＬの左部は、縦フレーム２０１Ｆ１の上部に取り付けられている。外部材２０３ＵＲの右部は、縦フレーム２０１Ｆ２の上部に取り付けられている。
【０１７６】
外部材２０３ＵＬ，２０３ＵＲの外径は、中間部材２０３ＵＭの内径よりも小さく形成されている。外部材２０３ＵＬ，２０３ＵＲは、機体内方側の端部が中間部材２０３ＵＭに挿入されている。これにより、外部材２０３ＵＬ，２０３ＵＲは、中間部材２０３ＵＭに対する突出量を変更可能である。外部材２０３ＵＬは、中間部材２０３ＵＭに対して左方Ｂ１に移動すると中間部材２０３ＵＭからの突出量が増加し、中間部材２０３ＵＭに対して右方Ｂ２に移動すると中間部材２０３ＵＭからの突出量が減少する。外部材２０３ＵＲは、中間部材２０３ＵＭに対して右方Ｂ２に移動すると中間部材２０３ＵＭからの突出量が増加し、中間部材２０３ＵＭに対して左方Ｂ１に移動すると中間部材２０３ＵＭからの突出量が減少する。
【０１７７】
下部フレーム２０３ＦＤは、支持フレーム２００の前下部に位置している。下部フレーム２０３ＦＤは、中間部材２０３ＤＭと外部材２０３ＤＬ，２０３ＤＲとを有している。中間部材２０３ＤＭは、筒状の部材であって、長さ方向の中心が機体幅方向Ｋ２の中心に配置されている。外部材２０３ＤＬ，２０３ＤＲは、中間部材２０３ＤＭに対して機体外方に延びている。具体的には、外部材２０３ＤＬは、中間部材２０３ＤＭに対して左方に延びている。外部材２０３ＤＲは、中間部材２０３ＤＭに対して右方に延びている。
【０１７８】
下部フレーム２０３ＦＤは、縦フレーム２０１Ｆ１〜２０１Ｆ４の下部に取り付けられている。中間部材２０３ＤＭの左部は、縦フレーム２０１Ｆ３の下部に取り付けられている。中間部材２０３ＤＭの右部は、縦フレーム２０１Ｆ４の下部に取り付けられている。外部材２０３ＤＬの左部は、縦フレーム２０１Ｆ１の下部に取り付けられている。外部材２０３ＤＲの右部は、縦フレーム２０１Ｆ２の下部に取り付けられている。
【０１７９】
外部材２０３ＤＬ，２０３ＤＲの外径は、中間部材２０３ＤＭの内径よりも小さく形成されている。外部材２０３ＤＬ，２０３ＤＲは、機体内方側の端部が中間部材２０３ＤＭに挿入されている。これにより、外部材２０３ＤＬ，２０３ＤＲは、中間部材２０３ＤＭに対する突出量を変更可能である。外部材２０３ＤＬは、中間部材２０３ＤＭに対して左方Ｂ１に移動すると中間部材２０３ＤＭからの突出量が増加し、中間部材２０３ＤＭに対して右方Ｂ２に移動すると中間部材２０３ＤＭからの突出量が減少する。外部材２０３ＤＲは、中間部材２０３ＤＭに対して右方Ｂ２に移動すると中間部材２０３ＤＭからの突出量が増加し、中間部材２０３ＤＭに対して左方Ｂ１に移動すると中間部材２０３ＤＭからの突出量が減少する。
【０１８０】
第２横フレーム２０３Ｂは、支持フレーム２００の後上部に位置している。第２横フレーム２０３Ｂは、中間部材２０３ＢＭと外部材２０３ＢＬ，２０３ＢＲとを有している。中間部材２０３ＢＭは、筒状の部材であって、長さ方向の中心が機体幅方向Ｋ２の中心に配置されている。外部材２０３ＢＬ，２０３ＢＲは、中間部材２０３ＢＭに対して機体外方に延びている。具体的には、外部材２０３ＢＬは、中間部材２０３ＢＭに対して左方に延びている。外部材２０３ＢＲは、中間部材２０３ＢＭに対して右方に延びている。
【０１８１】
第２横フレーム２０３Ｂは、縦フレーム２０１Ｂ１〜２０１Ｂ４の上部に取り付けられている。中間部材２０３ＢＭの左部は、縦フレーム２０１Ｂ３の上部に取り付けられている。中間部材２０３ＢＭの右部は、縦フレーム２０１Ｂ４の上部に取り付けられている。外部材２０３ＢＬの左部は、縦フレーム２０１Ｂ１の上部に取り付けられている。外部材２０３ＢＲの右部は、縦フレーム２０１Ｂ２の上部に取り付けられている。
【０１８２】
第１横フレーム２０２Ｌ，２０２Ｒ、第２横フレーム２０３Ｆの上部フレーム２０３ＦＵ、第２横フレーム２０３Ｂは、平面視にて矩形の枠状に組み合わされている。縦フレーム２０１Ｆ１，２０１Ｆ２、第２横フレーム２０３Ｆの上部フレーム２０３ＦＵ、第２横フレーム２０３Ｆの下部フレーム２０３ＦＤは、正面視にて矩形の枠状に組み合わされている。
【０１８３】
図３７の矢印及び仮想線に示すように、支持フレーム２００は、機体幅方向Ｋ２において、上部フレームＦＵの中間部材２０３ＵＭからの外部材２０３ＵＬ，２０３ＵＲの突出量を増加させることができる。また、支持フレーム２００は、機体幅方向Ｋ２において、下部フレーム２０３ＦＤの中間部材２０３ＤＭからの外部材２０３ＤＬ，２０３ＤＲの突出量を増加させることができる。また、支持フレーム２００は、機体幅方向Ｋ２において、第２横フレーム２０３Ｂの中間部材２０３ＢＭからの外部材２０３ＢＬ，２０３ＢＲの突出量を増加させることができる。
【０１８４】
図３６等に示すように、支持フレーム２００は、縦フレーム２０１Ｆ，２０１Ｂに対して展開可能に取り付けられた展開部材２０６Ｌ，２０６Ｒを有している。
展開部材２０６Ｌは、支持フレーム２００の左部に配置されている。展開部材２０６Ｌは、前部位２０６ＬＦと、後部位２０６ＬＢと、中部位２０６ＬＭと、を有している。前部位２０６ＬＦは、展開部材２０６Ｌの前部に位置している。後部位２０６ＬＢは、展開部材２０６Ｌの後部に位置している。中部位２０６ＬＭは、前後方向に延びており、前部位２０６ＬＦと後部位２０６ＬＢとを連結している。前部位２０６ＬＦ及び後部位２０６ＬＢは、互いに平行であって、中部位２０６ＬＭに対して直角方向に延びている。これにより、展開部材２０６Ｌは、全体としてコの字状に形成されている。
【０１８５】
展開部材２０６Ｌの２つの端部は、縦フレーム２０１Ｆ１，２０１Ｂ１に対して上方又は下方に回動可能に取り付けられている。詳しくは、前部位２０６ＬＦの端部は、縦フレーム２０１Ｆ１に取り付けられた第１取付具２０７に対して上方又は下方に回動可能に取り付けられている。後部位２０６ＬＢの端部は、縦フレーム２０１Ｂ１に取り付けられた第２取付具２０８に対して上方又は下方に回動可能に取り付けられている。第１取付具２０７は、縦フレーム２０１Ｆ１の下方寄りの位置に取り付けられている。第２取付具２０８は、縦フレーム２０１Ｂ１の下端部に取り付けられている。第１取付具２０７と第２取付具２０８とは、同じ高さに配置されている。
【０１８６】
展開部材２０６Ｒは、支持フレーム２００の右部に配置されている。展開部材２０６Ｒは、前部位２０６ＲＦと、後部位２０６ＲＢと、中部位２０６ＲＭと、を有している。前部位２０６ＲＦは、展開部材２０６Ｒの前部に位置している。後部位２０６ＲＢは、展開部材２０６Ｒの後部に位置している。中部位２０６ＲＭは、前後方向に延びており、前部位２０６ＲＦと後部位２０６ＲＢとを連結している。前部位２０６ＲＦ及び後部位２０６ＲＢは、互いに平行であって、中部位２０６ＲＭに対して直角方向に延びている。これにより、展開部材２０６Ｒは、全体としてコの字状に形成されている。
【０１８７】
展開部材２０６Ｒの２つの端部は、縦フレーム２０１Ｆ２，２０１Ｂ２に対して上方又は下方に回動可能に取り付けられている。詳しくは、前部位２０６ＲＦの端部は、縦フレーム２０１Ｆ２に取り付けられた第３取付具２０９に対して上方又は下方に回動可能に取り付けられている。後部位２０６ＲＢの端部は、縦フレーム２０１Ｂ２に取り付けられた第４取付具２１０に対して上方又は下方に回動可能に取り付けられている。第３取付具２０９は、縦フレーム２０１Ｆ２の下方寄りの位置に取り付けられている。第４取付具２１０は、縦フレーム２０１Ｂ２の下端部に取り付けられている。第３取付具２０９と第４取付具２１０とは、同じ高さに配置されている。
【０１８８】
図３８の矢印Ｅ２に示すように、展開部材２０６Ｌを縦フレーム２０１Ｆ１，２０１Ｂ１に対して上方に回動させることにより、上方に延びる折り畳み姿勢とすることができる。また、矢印Ｅ４に示すように、展開部材２０６Ｒを縦フレーム２０１Ｆ２，２０１Ｂ２に対して上方に回動させることにより、上方に延びる折り畳み姿勢とすることができる。
図３８の矢印Ｅ１に示すように、展開部材２０６Ｌを縦フレーム２０１Ｆ１，２０１Ｂ１に対して折り畳み姿勢から水平位置まで下方に回動させることにより、展開部材２０６Ｌを機体幅方向Ｋ２の一方側（左側）に延びる展開姿勢とすることができる。また、矢印Ｅ３に示すように、展開部材２０６Ｒを縦フレーム２０１Ｆ２，２０１Ｂ２に対して折り畳み姿勢から水平位置まで下方に回動させることにより、展開部材２０６Ｒを機体幅方向Ｋ２の他方側（右側）に延びる展開姿勢とすることができる。
【０１８９】
尚、展開部材２０６Ｌ，２０６Ｒを展開姿勢から折り畳み姿勢にする際に、展開部材２０６Ｌを縦フレーム２０１Ｆ１，２０１Ｂ１に対して下方に回動させて下向きとし、展開部材２０６Ｒを縦フレーム２０１Ｆ２，２０１Ｂ２に対して下方に回動させて下向きとしてもよい。
連結材２０４Ｃは、第１連結材２０４Ｃ１、第２連結材２０４Ｃ２、第３連結材２０４Ｃ３、第４連結材２０４Ｃ４、第５連結材２０４Ｃ５、第６連結材２０４Ｃ６を含む。
【０１９０】
第１連結材２０４Ｃ１と第２連結材２０４Ｃ２とは、互いに平行に配置されて前後方向Ｋ１に延びている。第１連結材２０４Ｃ１は、上部フレーム２０３ＦＵの中間部材２０３ＵＭの左部と、第２横フレーム２０３Ｂの中間部材２０３ＢＭの左部とを連結している。第２連結材２０４Ｃ２は、上部フレーム２０３ＦＵの中間部材２０３ＵＭの右部と、第２横フレーム２０３Ｂの中間部材２０３ＢＭの右部とを連結している。
【０１９１】
第３連結材２０４Ｃ３は、第１横フレーム２０２Ｌと縦フレーム２０１Ｂ１とを連結している。第４連結材２０４Ｃ４は、第１横フレーム２０２Ｒと縦フレーム２０１Ｂ２とを連結している。第５連結材２０４Ｃ５は、第１連結材２０４Ｃ１と架設部材２１１の左部とを連結している。第６連結材２０４Ｃ６は、第２連結材２０４Ｃ２と架設部材２１１の右部とを連結している。
【０１９２】
接続フレーム２０５Ｌは、支持フレーム２００の左部に配置されている。接続フレーム２０５Ｌは、第１接続部材２０５Ｌ１と、第２接続部材２０５Ｌ２と、第３接続部材２０５Ｌ３と、第４接続部材２０５Ｌ４と、を有している。第１接続部材２０５Ｌ１は、縦フレーム２０１Ｆ３の中途部から後下方に向けて延びている。第２接続部材２０５Ｌ２は、第１接続部材２０５Ｌ１の下部から下方に延びている。第３接続部材２０５Ｌ３は、第２接続部材２０５Ｌ２の上部と、下部フレーム２０３ＦＤの中間部材２０３ＤＭの左部とを接続している。第４接続部材２０５Ｌ４は、下部フレーム２０３ＦＤの中間部材２０３ＤＭの左部と、第２接続部材２０５Ｌ２の上下方向の中途部とを接続している。
【０１９３】
接続フレーム２０５Ｒは、支持フレーム２００の右部に配置されている。接続フレーム２０５Ｒは、第１接続部材２０５Ｒ１と、第２接続部材２０５Ｒ２と、第３接続部材２０５Ｒ３と、第４接続部材２０５Ｒ４と、を有している。第１接続部材２０５Ｒ１は、縦フレーム２０１Ｆ４の中途部から後下方に向けて延びている。第２接続部材２０５Ｒ２は、第１接続部材２０５Ｒ１の下部から下方に延びている。第３接続部材２０５Ｒ３は、第２接続部材２０５Ｒ２の上部と、下部フレーム２０３ＦＤの中間部材２０３ＤＭの右部とを接続している。第４接続部材２０５Ｒ４は、下部フレーム２０３ＦＤの中間部材２０３ＤＭの右部と、第２接続部材２０５Ｒ２の上下方向の中途部とを接続している。
【０１９４】
支持フレーム２００は、接続フレーム２０５Ｌ，２０５Ｒ及び接続板２１２により、機体２に対して着脱可能に接続される。図２６に示すように、接続フレーム２０５Ｌの第２接続部材２０５Ｌ２は、デッキ１０Ｌの前部に立設された支柱１７Ｌに対してボルト等によって接続される。接続フレーム２０５Ｒの第２接続部材２０５Ｒ２は、デッキ１０Ｒの前部に立設された支柱１７Ｒに対してボルト等によって接続される。また、接続板２１２は、支持枠体２２の後枠材２２Ｂに対してボルト等によって接続される。これにより、支持フレーム２００が機体２の上部に装着される。
【０１９５】
図３３、図３４は、支持フレーム２００を機体幅方向Ｋ２の一方側（左側）と他方側（右側）にそれぞれ伸長させるとともに、展開部材２０６Ｌ，２０６Ｒを機体幅方向Ｋ２の一方側（左側）と他方側（右側）に延びる展開姿勢とした状態を示している。また、図３３、図３４に示す状態では、椅子１３Ｌ，１３Ｒ及び後輪４Ｌ，４Ｒは、機体２に対して離反状態にある。この状態では、支持フレーム２００の左端（展開部材２０６Ｌの左端）は、椅子１３Ｌよりも左方に位置する。支持フレーム２００の右端（展開部材２０６Ｒの右端）は、椅子１３Ｒよりも右方に位置する。支持フレーム２００の前端（下部フレーム２０３ＦＤの前面）は、支持枠体２２よりも前方に位置する。支持フレーム２００の後端（第２横フレーム２０３Ｂの後面）は、支持枠体２２よりも後方に位置する。また、第１横フレーム２０２Ｌ，２０２Ｒは、前輪３Ｌ，３Ｒ及び後輪４Ｌ，４Ｒよりも機体外方に位置する。図３３、図３４に示す状態の支持フレーム２００に対して幌部材２２０が装着される。
【０１９６】
図３５は、椅子１３Ｌ，１３Ｒを第２装着部１５５に装着して、後輪４Ｌ，４Ｒを機体２に対して接近状態とし、支持フレーム２００を機体幅方向Ｋ２に短縮した状態を示している。この状態では、第１横フレーム２０２Ｌ，２０２Ｒは、前輪３Ｌ，３Ｒよりも機体内方に位置する。また、第１横フレーム２０２Ｌ，２０２Ｒは、後輪４Ｌ，４Ｒの機体外方側の端部よりも機体内方に位置する。そのため、支持部材２００を設けた場合であっても、移植機１の幅（機体幅方向の長さ）を短くすることができる。これにより、移植機１を運搬するときの取り扱い性（可搬性）が向上し、トラックの荷台に載せて搬送することができる。また、保管時に必要なスペースを小さくすることができる。
【０１９７】
図３９〜図４１に示すように、支持フレーム２００には、幌部材２２０が装着される。幌部材２２０は、支持フレーム２００に上方から被せることによって、支持フレーム２００に対して装着される。幌部材２２０は、透明又は透光性を有する素材から構成されている。幌部材２２０は、柔軟で且つ折り畳み可能な樹脂製のシートから構成されることが好ましい。幌部材２２０を構成する樹脂としては、ポリ塩化ビニル、ポリエチレン、ポリプロピレン等を例示することができるが、これらに限定されない。
【０１９８】
幌部材２２０は、支持フレーム２００に対して装着された状態（以下、「装着状態」という）において、上面２２０Ｕ、前面２２０Ｆ、後面２２０Ｂ、左側面２２０Ｌ、右側面２２０Ｒを有する箱型に構成され、下面は開放される。
図３４に仮想線で示すように、幌部材２２０の上面２２０Ｕの外形は、平面視にて矩形状を呈する。上面２２０Ｕの前縁２２０ＵＦは、第２横フレーム２０３Ｆの上部フレーム２０３ＦＵに沿う。上面２２０Ｕの後縁２２０ＵＢは、第２横フレーム２０３Ｂに沿う。上面２２０Ｕの左縁２２０ＵＬは、展開部材２０６Ｌに沿う。上面２２０Ｕの右縁２２０ＵＲは、展開部材２０６Ｒに沿う。
【０１９９】
図４０に示すように、前面２２０Ｆの外形は、正面視にて、長方形の上に等脚台形を重ねた六角形状を呈する。前面２２０Ｆの上縁２２０ＦＵは、第２横フレーム２０３Ｆの上部フレーム２０３ＦＵに沿う。前面２２０Ｆの下縁２２０ＦＤは、第２横フレーム２０３Ｆの下部フレーム２０３ＦＤに沿う。前面２２０Ｆの左縁２２０ＦＬは、縦フレーム２０１Ｆ１の上端から展開部材２０６Ｌまでの範囲では、下方に延びるにつれて左方に移行するように傾斜し、展開部材２０６Ｌよりも下方では垂直下向きに延びる。前面２２０Ｆの右縁２２０ＦＲは、縦フレーム２０１Ｆ２の上端から展開部材２０６Ｒまでの範囲では、下方に延びるにつれて右方に移行するように傾斜し、展開部材２０６Ｒよりも下方では垂直下向きに延びる。
【０２００】
図４１に示すように、後面２２０Ｂの外形は、背面視にて、長方形の上に等脚台形を重ねた六角形状を呈する。後面２２０Ｂの上縁２２０ＢＵは、第２横フレーム２０３Ｂに沿う。後面２２０Ｂの下縁２２０ＢＤは、支持フレーム２００には沿わない。後面２２０Ｂの左縁２２０ＢＬは、縦フレーム２０１Ｂ１の上端から展開部材２０６Ｌまでの範囲では、下方に延びるにつれて左方に移行するように傾斜し、展開部材２０６Ｌよりも下方では垂直下向きに延びる。後面２２０Ｂの右縁２２０ＢＲは、縦フレーム２０１Ｂ２の上端から展開部材２０６Ｒまでの範囲では、下方に延びるにつれて左方に移行するように傾斜し、展開部材２０６Ｒよりも下方では垂直下向きに延びる。
【０２０１】
図３９に示すように、左側面２２０Ｌの外形は、左側面視にて、後上部と後下部の角が直角、前上部の角が鈍角、前下部の角が鋭角である台形状を呈する。左側面２２０Ｌの上縁２２０ＬＵは、第１横フレーム２０２Ｌに沿う。左側面２２０Ｌの前縁２２０ＬＦは、縦フレーム２０１Ｆ１に沿う。左側面２２０Ｌの後縁２２０ＬＢは、縦フレーム２０１Ｂ１に沿う。
【０２０２】
右側面２２０Ｌの外形は、左側面２２０Ｌの外形と同じであるため、図示を省略する。右側面２２０Ｌは、右側面視にて、後上部と後下部の角が直角、前上部の角が鈍角、前下部の角が鋭角である台形状に構成される。右側面２２０Ｒの上縁は、第１横フレーム２０２Ｒに沿う。右側面２２０Ｒの前縁は、縦フレーム２０１Ｆ２に沿う。右側面２２０Ｒの後縁は、縦フレーム２０１Ｂ２に沿う。
【０２０３】
前面２２０Ｆは、上方から下方に向かうにつれて次第に前方に移行する傾斜面となっている。後面２２０Ｂ、左側面２２０Ｌ、右側面２２０Ｒは、支持枠体２２の天板２２ａに対して直角である垂直面となっている。
図３９〜図４１に示すように、幌部材２２０は、装着状態において、少なくとも苗供給部１２と椅子１３Ｌ，１３Ｒの上方及び側方を被覆可能である。
【０２０４】
装着状態における幌部材２２０の左端は、苗供給部１２の左端（支持枠体２２の左側板２２ｂ）及び椅子１３Ｌよりも左方に位置する。装着状態における幌部材２２０の右端は、苗供給部１２の右端（支持枠体２２の右側板２２ｃ）及び椅子１３Ｒよりも右方に位置する。
装着状態における幌部材２２０の前端は、苗供給部１２の前端（支持枠体２２の前板２２ｄ）及び椅子１３Ｌ，１３Ｒよりも前方に位置する。装着状態における幌部材２２０の後端は、苗供給部１２の後端（支持枠体２２の後板２２ｅ）及び椅子１３Ｌ，１３Ｒよりも後方に位置する。
【０２０５】
装着状態における幌部材２２０の上端は、苗供給部１２及び椅子１３Ｌ，１３Ｒよりも上方に位置する。装着状態における幌部材２２０の下端は、上下方向において苗供給部１２の支持枠体２２及び椅子１３Ｌ，１３Ｒとオーバーラップする。
装着状態における幌部材２２０の下端は、椅子１３Ｌ，１３Ｒの座面よりも下方に位置することが好ましい。また、装着状態における幌部材２２０の下端は、デッキ１０Ｌ，１０Ｒ或いは乗降ステップ１２０Ｌ，１２０Ｒまで達することが好ましい。また、装着状態における幌部材２２０の下端は、上下方向においてカバー１９０の上縁よりも下方（カバー１９０とオーバーラップする）又はカバー１９０の上縁と近接する高さに位置する。
【０２０６】
上述したように、幌部材２２０によって苗供給部１２と椅子１３Ｌ，１３Ｒの上方及び側方が被覆されることにより、椅子１３Ｌ，１３Ｒに着座した作業者は、風や雨の影響を受けずに円滑に作業を行うことができる。また、幌部材２２０が透明又は透光性を有する素材から構成されているため、幌部材２２０の内部が暗くなって作業性が低下することを防止できる。また、作業者は、幌部材２２０を通して移植機１の周囲を視認することができる。
【０２０７】
図４１に示すように、幌部材２２０は、開閉可能な繋ぎ目部２２１を有している。繋ぎ目部２２１は、幌部材２２０の下縁から上方に延びており、ファスナー等によって開閉可能に構成されている。繋ぎ目部２２１は、椅子１３Ｌ，１３Ｒの周囲に設けられている。具体的には、繋ぎ目部２２１は、椅子１３Ｌの後方と椅子１３Ｒの後方にそれぞれ設けられている。これにより、作業者は、繋ぎ目部２２１を開放することで、幌部材２２０の内部に容易に出入りすることができ、椅子１３Ｌ，１３Ｒへのアクセスも容易となる。
【０２０８】
図３６〜図４１に示すように、支持フレーム２００には、照明装置２２３を取り付け可能な取付板２２２が設けられている。取付板２２２は、上部フレーム２０３ＦＵの機体幅方向Ｋ２の中央に取り付けられている。取付板２２２は、上部フレーム２０３ＦＵから下方に延びている。取付板２２２は、下方に延びるにつれて後方に移行するように傾斜している。照明装置２２３は、取付板２２２の傾斜した前面にボルト等によって取り付けられる。これにより、照明装置２２３は、支持フレーム２００の前上部に取り付けられ、前下方に向けて光を照射することができる。
【０２０９】
図３９〜図４１に示すように、照明装置２２３は、幌部材２２０の装着状態において、幌部材２２０の内側（後方）に配置される。図３９の矢印Ｈ１に示すように、照明装置２２３から照射される光は、幌部材２２０を通過して移植機１の前下方に向かう。これにより、移植機１の進行方向の前方にある畝等を明るく照らすことができる。また、矢印Ｈ２に示すように、照明装置２２３から照射される光の一部は、幌部材２２０の内面（前面２２０Ｆの裏面）で反射して後下方に向かう。これにより、幌部材２２０の内部にある苗供給部１２を明るく照らすことができる。また、１つの照明装置２２３により、移植機１の前方及び苗供給部１２の上方を照らすことができる。
【０２１０】
以下、上記実施形態の移植機１の効果について説明する。
移植機１は、走行可能な機体２と、機体２に設けられた原動機Ｅ１と、機体２に設けられ且つ圃場に苗を植え付ける移植部１１と、機体２に設けられ且つ移植部１１に苗を供給する苗供給部１２と、原動機Ｅ１からの動力を苗供給部１２に伝達する動力伝達機構１１１と、苗供給部１２に対して動作を妨げる力が加わったときに、動力伝達機構１１１による苗供給部１２への動力の伝達を遮断する動力遮断機構１３０と、を備えている。
【０２１１】
この構成によれば、苗供給部１２に対して動作を妨げる力が加わったときに、動力伝達機構１１１による苗供給部１２への動力の伝達を遮断する動力遮断機構１３０を備えているため、苗供給部１２に対して動作を妨げる力が加わったときには、動力遮断機構１３０によって苗供給部１２の動作を速やかに停止させることができる。
また、苗供給部１２は、苗供給カップ１４Ａ，１４Ｂと、苗供給カップを環状の経路に沿って移送する移送機構と、を有し、動力遮断機構１３０は、移送機構に対して移送を妨げる力が加わったときに、動力伝達機構１１１による苗供給部１２への動力の伝達を遮断する。
【０２１２】
この構成によれば、苗供給カップ１４Ａ，１４Ｂを環状の経路に沿って移送する移送機構に対して移送を妨げる力が加わったときに、動力伝達機構１１１によって苗供給部１２への動力の伝達が遮断されるため、作業者が誤って移送機構に手を挟んでしまった場合等には、苗供給部１２の動作を速やかに停止させることができる。
また、動力遮断機構１３０は、原動機Ｅ１からの動力が伝達される第１伝達軸１３１と、苗供給部１２に動力を伝達する第２伝達軸１３２と、第１伝達軸１３１と第２伝達軸１３２との間に介在され且つ第１伝達軸１３１から第２伝達軸１３２に動力を伝達する中継部１３３と、を有し、中継部１３３は、第２伝達軸１３２に対して回転を妨げる力が加わったときに、第１伝達軸１３１から第２伝達軸１３２への動力の伝達を遮断する。
【０２１３】
この構成によれば、第２伝達軸１３２に対して回転を妨げる力が加わったときに、中継部１３３によって第１伝達軸１３１から第２伝達軸１３２への動力の伝達が遮断されるため、動力伝達機構１１１による苗供給部１２への動力の伝達を確実に遮断することができる。
また、機体２の周囲に配置され且つ苗供給部１２に苗を供給する作業者が着座する椅子１３Ｌ，１３Ｒを備え、苗供給部１２は、苗供給部１２を支持し且つ環状の経路の外周を囲う環状の枠部２６Ｌ，２６Ｒを有する支持枠体２２を有し、支持枠体２２には、椅子１３Ｌ，１３Ｒに着座する作業者が把持する手摺り９０が設けられ、手摺り９０は、枠部２６Ｌ，２６Ｒの後縁に沿って配置された後部位９１と、後部位９１から前方に延び且つ枠部２６Ｌ，２６Ｒの側縁に沿って配置された側部位９２と、を有している。
【０２１４】
この構成によれば、手摺り９０の後部位９１と側部位９２によって、環状の枠部２６Ｌ，２６Ｒの内側（第１開口部１２Ｌａ、第２開口部１２Ｒａ）に手が入ることが防がれる。そのため、椅子１３Ｌ．１３Ｒに着座して作業を行う作業者或いは椅子１３Ｌ，１３Ｒに乗り降りする作業者が、環状の枠部２６Ｌ，２６Ｒの内側（第１開口部１２Ｌａ、第２開口部１２Ｒａ）に誤って手を入れて怪我をすることが防止される。
【０２１５】
また、側部位９２は、前方に向かうにつれて上方に移行している。
この構成によれば、側部位９２によって枠部２６Ｌ，２６Ｒの上方且つ側方がガードされるため、作業者が環状の枠部２６Ｌ，２６Ｒの内側（第１開口部１２Ｌａ、第２開口部１２Ｒａ）に誤って手を入れることを効果的に防止することができる。
また、機体２の周囲に配置され且つ苗供給部１２に苗を供給する作業者が着座する椅子１３Ｌ，１３Ｒと、椅子１３Ｌ，１３Ｒが着脱可能に装着される装着部と、を備え、装着部は、椅子を苗供給部１２の側方にて装着する第１装着部１０４と、椅子を苗供給部１２の後方且つ第１装着部１０４よりも機体幅方向の内方にて装着する第２装着部１５５Ｌ，１５５Ｒと、を含む。
【０２１６】
この構成によれば、移植機１を運搬する場合や収納するときには、椅子１３Ｌ，１３Ｒを第１装着部１０４から取り外して第２装着部１５５に装着することによって、移植機１の幅（機体幅方向の長さ）を短くすることができる。
また、第１装着部１０４は、苗供給部１２の側方の第１位置と、第１位置よりも苗供給部１２に接近する第２位置と、に移動可能である。
【０２１７】
この構成によれば、第１装着部１０４を第１位置から第２位置に移動させることによって、移植機１の幅（機体幅方向の長さ）を短くすることができる。これにより、移植機１を運搬するときの取り扱い性（可搬性）が向上し、また保管時に必要なスペースを小さくすることができる。
また、移植機１は、走行可能な機体２と、機体２に設けられた原動機Ｅ１と、機体２に設けられ且つ圃場に苗を植え付ける移植部１１と、機体２に設けられ且つ移植部１１に苗を供給する苗供給部１２と、機体２の周囲に配置され且つ苗供給部１２に苗を供給する作業者が着座する椅子１３Ｌ，１３Ｒと、少なくとも苗供給部１２と椅子１３Ｌ，１３Ｒの上方及び側方を被覆可能な幌部材２２０と、機体２上に設けられ且つ幌部材２２０を支持する支持フレーム２００と、を備えている。
【０２１８】
この構成によれば、幌部材２２０によって苗供給部１２と椅子１３Ｌ，１３Ｒの上方及び側方を被覆することが可能であるため、風や雨等によって作業者が苗供給部１２に苗を補給する作業に悪影響が生じることを防止できる。
また、椅子１３Ｌ，１３Ｒは、機体幅方向の一方側と他方側とにそれぞれ配置されており、支持フレーム２００は、機体幅方向の一方側と他方側にそれぞれ伸長可能である。
【０２１９】
この構成によれば、支持フレーム２００を機体幅方向の一方側と他方側にそれぞれ伸長することによって、支持フレーム２２０に支持される幌部材２２０を機体幅方向の一方側と他方側にそれぞれ伸長することができる。そのため、椅子１３Ｌ，１３Ｒの上方及び側方を幌部材２２０によって確実に覆うことが可能となる。
また、支持フレーム２００は、機体２から椅子１３Ｌ，１３Ｒよりも上方まで延びる縦フレーム２０１Ｆ，２０１Ｂと、縦フレーム２０１Ｆ，２０１Ｂに取り付けられて前後方向に延びる第１横フレーム２０２Ｌ，２０２Ｒと、縦フレーム２０１Ｆ，２０１Ｂに取り付けられて機体幅方向に延びる第２横フレーム２０３Ｆ，２０３Ｂと、を含み、第２横フレーム２０３Ｆ，２０３Ｂは、機体幅方向の一方側と他方側にそれぞれ伸長可能である。
【０２２０】
この構成によれば、支持フレーム２００を箱形に構成することができるとともに、箱形の支持フレーム２００を機体幅方向に伸長することが可能となる。
また、支持フレームは、縦フレームに対して展開可能に取り付けられた展開部材２０６Ｌ，２０６Ｒを有し、展開部材２０６Ｌ，２０６Ｒは、上方又は下方に延びる折り畳み姿勢と、機体幅方向の一方側又は他方側に向けて延びる展開姿勢と、に姿勢の変更が可能である。
【０２２１】
この構成によれば、展開部材２０６Ｌ，２０６Ｒを展開姿勢とすることにより、幌部材２２０を機体幅方向に延長することができるため、椅子１３Ｌ，１３Ｒの上方及び側方を幌部材２２０によって確実に覆うことが可能となる。また、展開部材２０６Ｌ，２０６Ｒを折り畳み姿勢とすることにより、支持フレーム２００の機体幅方向に短縮することができるため、保管時に必要なスペースを小さくすることができる。
【０２２２】
また、苗供給部１２は、苗供給カップ１４Ａ，１４Ｂを環状の経路に沿って移送する移送機構を有する苗供給装置１２Ｌ，１２Ｒと、苗供給装置１２Ｌ，１２Ｒを支持する支持枠体２２と、を有し、支持枠体２２は、苗供給部１２の前部に配置された前枠材２２Ｆを有し、第２横フレーム２０３Ｆ，２０３Ｂは、縦フレーム２０１Ｆ，２０１Ｂの上部に取り付けられた上部フレーム２０３ＦＵと、縦フレーム２０１Ｆ，２０１Ｂの下部に取り付けられた下部フレーム２０３ＦＤと、を有し、下部フレーム２０３ＦＤは、前枠材２２Ｆに沿って配置されている。
【０２２３】
この構成によれば、支持フレーム２００の前下部（下部フレーム２０３ＦＤ）が苗供給装置１２Ｌ，１２Ｒを支持する支持枠体２２に沿って配置されるため、幌部材２２０によって苗供給装置１２Ｌ，１２Ｒの前部を確実に覆うことができる。
また、椅子１３Ｌ，１３Ｒは、機体幅方向の一方側であって且つ機体２に対して接近する方向と、機体幅方向の一方側であって機体２に対して離反する方向とに移動可能である。
【０２２４】
この構成によれば、椅子１３Ｌ，１３Ｒの移動方向と支持フレーム２００の伸縮方向とが同じ方向（機体幅方向）であるため、椅子１３Ｌ，１３Ｒの位置に応じて支持フレーム２００を伸縮させることができる。
また、幌部材２２０は、透明又は透光性を有する素材から構成されている。
この構成によれば、太陽光等の外光を幌部材２２０の内部に取り入れることができるため、幌部材２２０の内部が暗くなって作業性が低下することを防止できる。また、作業者は、幌部材２２０を通して移植機１の周囲を視認することができる。
【０２２５】
また、幌部材２２０は、椅子１３Ｌ，１３Ｒの周囲に開閉可能な繋ぎ目部２２１を有している。
この構成によれば、作業者は、繋ぎ目部２２１を開放することで、幌部材２２０の内部に容易に出入りすることができ、椅子１３Ｌ，１３Ｒへのアクセスも容易となる。
また、支持フレーム２００に取り付けられ且つ幌部材２２０の内側に配置される照明装置２２３を備えている。
【０２２６】
この構成によれば、照明装置２２３から照射される光によって、移植機１の周囲（畝等）を照らすことができるとともに、幌部材２２０の内部にある苗供給部１２を照らすこともできる。そのため、移植機１の夜間の移動や、移植機１による夜間の移植作業が可能となる。
また、移植機１は、走行可能な機体２と、機体２に設けられ且つ圃場に苗を植え付ける移植部１１と、機体２に設けられ且つ移植部１１に苗を供給する苗供給部１２と、機体２に取り付けられ且つ少なくとも苗供給部１２から移植部１１への苗の受け渡し部７７Ｌ，７７Ｒの前方を覆うカバー１９０と、を備えている。
【０２２７】
この構成によれば、苗供給部１２から移植部１１への苗の受け渡し部７７Ｌ，７７Ｒの前方を覆うカバー１９０を備えているため、強風等の外的要因の影響を排して苗供給部１２から移植部１１への苗の受け渡しを良好に精度良く行うことができる。
また、カバー１９０は、受け渡し部７７Ｌ，７７Ｒの側方を覆う。
この構成によれば、側方からの強風等の影響を排して苗供給部１２から移植部１１への苗の受け渡しを良好に行うことができる。
【０２２８】
また、カバー１９０は、透明又は透光性を有する素材から構成されている。
この構成によれば、カバー１９０に覆われた部分（受け渡し部７７Ｌ，７７Ｒ等）を移植機１の前方や側方から視認することができる。そのため、カバー１９０を取り外さなくともカバー１９０に覆われた部分の状態や植え付けの様子を確認することができる。
また、苗供給部１２は、苗供給カップ１４Ａ，１４Ｂを環状の経路に沿って移送する移送機構を有する苗供給装置１２Ｌ，１２Ｒと、苗供給装置１２Ｌ，１２Ｒを支持する支持枠体２２と、を有し、支持枠体２２は、苗供給部１２の前部に配置された前枠材２２Ｆと、苗供給部１２の左部に配置された左枠材２２Ｌと、苗供給部１２の右部に配置された右枠材２２Ｒと、を有し、カバー１９０は、前枠材２２Ｆ、左枠材２２Ｌ、右枠材２３Ｒに沿って取り付けられている。
【０２２９】
この構成によれば、カバー１９０を苗供給部１２の前方、左方、右方を囲うようにして支持枠体２２に取り付けることができるため、カバー１９０によって苗供給部１２から移植部１１への苗の受け渡し部７７Ｌ，７７Ｒの前方及び側方を確実に覆うことができる。
また、圃場に形成される畝に接地する覆土輪（接地部材）１６０と、覆土輪１６０による覆土圧を調整する調整レバー１４０Ｌ，１４０Ｒと、を備え、カバー１９０は、調整レバー１４０Ｌ，１４０Ｒが前方に向けて挿通された開口部１９０ｂを有している。
【０２３０】
この構成によれば、調整レバー１４０Ｌ，１４０Ｒに対する意図しない接触を防ぎつつ、調整レバー１４０Ｌ，１４０Ｒを容易に操作することができる。
また、カバー１９０は、受け渡し部７７Ｌ，７７Ｒの前方を覆う前板部１９０Ｆを有し、前板部１９０Ｆは、後方に向けて筒状に延出する延出部１９０ａを有し、開口部１９０ｂは、延出部１９０ａにより囲まれる領域に形成されている。
【０２３１】
この構成によれば、開口部１９０ｂが延出部１９０ａにより囲まれる領域に形成されていることによって、開口部１９０ｂによるカバー１９０の強度低下を抑制することができる。
また、移植部１１に向けて水を供給する灌水チューブ９４，９５を備え、カバー１９０は、受け渡し部７７Ｌ，７７Ｒの側方を覆う側板部１９０Ｌ，１９０Ｒを有し、側板部１９０Ｌ，１９０Ｒは、機体２から離れる方向に膨らみ且つ灌水チューブ９４，９５の側方を覆う膨出部１９０Ｌａ，１９０Ｒａを有している。
【０２３２】
この構成によれば、灌水チューブ９４，９５が機体外方（側方）に膨らんで配策された場合であっても、灌水チューブ９４，９５を確実に収容することができる。これにより、灌水チューブ９４，９５に他の物体が接触したり引っ掛かったりして、灌水チューブ９４，９５が外れること等を防ぐことができる。
また、移植機１は、走行可能であって且つ圃場に苗を植え付ける移植部１１が設けられた機体２と、機体２の周囲に設けられ且つ作業者が着座する椅子１３Ｌ，１３Ｒと、機体２を水平に維持するための水平制御装置と、水平制御装置を操作するレバーであって、機体幅方向の一方側に揺動させることにより機体２の一方側を下降させ、機体幅方向の他方側に揺動させることにより機体２の他方側を下降させる水平調整レバー９７と、機体２の水平状態からの傾きを示す指標体であって、機体２の一方側が下降したときに機体２に対して他方側に傾き、機体２の他方側が下降したときに機体２に対して一方側に傾く指標体９８と、を備えている。
【０２３３】
この構成によれば、作業者は、機体２が傾いた場合、水平調整レバー９７を指標体９８の傾き方向と同じ方向に操作することで、機体２を水平に戻すことができる。そのため、作業者は、機体２がどちらに傾いているかを意識することなく、指標体９８を見て直観的に水平調整レバー９７を操作すべき方向を正確に把握して、傾きをなくす方向に正しく操作することができる。
【０２３４】
また、機体２に設けられ且つ移植部１１に苗を供給する苗供給部１２を備え、椅子１３Ｌ，１３Ｒは、苗供給部１２の周囲に設けられ、水平調整レバー９７及び指標体９８は、苗供給部１２に設けられている。
この構成によれば、椅子１３Ｌ，１３Ｒに着座して苗供給部１２に苗を供給する作業者は、指標体９８を見ながら水平調整レバー９７を容易に操作することができる。
【０２３５】
また、苗供給部１２は、苗供給カップ１４Ａ，１４Ｂを環状の経路に沿って移送する移送機構を有する苗供給装置１２Ｌ，１２Ｒと、苗供給装置１２Ｌ，１２Ｒを支持する支持枠体２２と、を有し、水平調整レバー９７及び指標体９８は、支持枠体２２から上方に突出して設けられている。
この構成によれば、苗供給部１２に苗を供給する作業者は、支持枠体２２から上方に突出した指標体９８を見ながら水平調整レバー９７を容易に操作することができる。
【０２３６】
また、支持枠体２２は、上面が平面に形成された天板２２ａを有し、水平調整レバー９７及び指標体９８は、天板２２ａから上方に突出して設けられている。
この構成によれば、作業者は、天板２２ａの水平な上面を基準として指標体９８を見ることができるため、指標体９８の傾きを容易に把握することができる。
また、苗供給装置は、機体幅方向の一方側に設けられた第１苗供給装置１２Ｌと、機体幅方向の他方側に設けられた第２苗供給装置１２Ｒと、を含み、水平調整レバー９７及び指標体９８は、第１苗供給装置１２Ｌと第２苗供給装置１２Ｒとの間に配置されている。
【０２３７】
この構成によれば、第１苗供給装置１２Ｌ側からでも第２苗供給装置１２Ｒ側からでも同様に、指標体９８を見ながら水平調整レバー９７を正確に操作することができる。
また、水平調整レバー９７は、基準レバー位置９７Ｍと、基準レバー位置９７Ｍに対して一方側にある第１レバー位置９７Ｌと、基準レバー位置９７Ｍに対して他方側にある第２レバー位置９７Ｒと、に揺動可能であり、指標体９８は、基準指標位置９８Ｍと、基準指標位置９８Ｍに対して一方側である第１指標方向９８Ｌと、基準指標位置９８Ｍに対して他方側である第２指標方向９８Ｒと、に移動可能であり、基準レバー位置９７Ｍと基準指標位置９８Ｍとは、前後方向に延びる同一直線Ｌ１上に配置されている。
【０２３８】
この構成によれば、作業者は、基準レバー位置９７Ｍと基準指標位置９８Ｍとを同一直線Ｌ１上に視認することができるため、指標体９８の傾き方向を見て水平調整レバー９７を操作すべき方向を容易に把握することができる。
また、椅子１３Ｌ，１３Ｒは、機体２の側方であって且つ、水平調整レバー９７及び指標体９８に対して前方又は後方に配置されている。
【０２３９】
この構成によれば、椅子１３Ｌ，１３Ｒに着座した作業者の視線の方向と、水平調整レバー９７と指標体９８との並び方向とを略一致させることができる。そのため、作業者は、指標体９８の傾き方向を見て水平調整レバー９７を操作すべき方向を容易に把握することができる。
また、水平調整レバー９７は、前後方向において、指標体９８よりも椅子１３Ｌ，１３Ｒに近い側に配置されている。
【０２４０】
この構成によれば、椅子１３Ｌ，１３Ｒに着座した作業者が前方を向いたとき、水平調整レバー９７が手前側に視認され、指標体９８が水平調整レバー９７の奥側に視認される。そのため、作業者は、指標体９８の傾き方向を奥側に見ながら、手前側で水平調整レバー９７を容易に操作することができる。
また、指標体９８の下部には、錘９９が設けられており、指標体９８は、機体２が水平であるときに錘９９に作用する重力により鉛直方向を向く。
【０２４１】
この構成によれば、簡易な構成の指標体９８によって正確に機体２の傾きに応じて傾けることができる。
以上、本発明の一実施形態について説明したが、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２４２】
１        移植機
２        機体
１１      移植部
１２      苗供給部
１２Ｌ，１２Ｒ  苗供給装置
１３Ｌ，１３Ｒ  椅子
１４Ａ，１４Ｂ  苗供給カップ
２２      支持枠体
２２Ｆ    前枠材
２００    支持フレーム
２０１Ｆ，２０１Ｂ  縦フレーム
２０２Ｌ，２０２Ｒ  第１横フレーム
２０３Ｆ，２０３Ｂ  第２横フレーム
２０３ＦＵ  上部フレーム
２０３ＦＤ  下部フレーム
２０６Ｌ，２０６Ｒ  展開部材
２２０    幌部材
２２１    繋ぎ目部
２２３    照明装置
Ｅ１      原動機
【図１】
2020000043.tif 000003
【図２】
2020000043.tif 000004
【図３】
2020000043.tif 000005
【図４】
2020000043.tif 000006
【図５】
2020000043.tif 000007
【図６】
2020000043.tif 000008
【図７】
2020000043.tif 000009
【図８】
2020000043.tif 000010
【図９】
2020000043.tif 000011
【図１０】
2020000043.tif 000012
【図１１】
2020000043.tif 000013
【図１２】
2020000043.tif 000014
【図１３】
2020000043.tif 000015
【図１４】
2020000043.tif 000016
【図１５】
2020000043.tif 000017
【図１６】
2020000043.tif 000018
【図１７】
2020000043.tif 000019
【図１８】
2020000043.tif 000020
【図１９】
2020000043.tif 000021
【図２０】
2020000043.tif 000022
【図２１】
2020000043.tif 000023
【図２２】
2020000043.tif 000024
【図２３】
2020000043.tif 000025
【図２４】
2020000043.tif 000026
【図２５】
2020000043.tif 000027
【図２６】
2020000043.tif 000028
【図２７】
2020000043.tif 000029
【図２８】
2020000043.tif 000030
【図２９】
2020000043.tif 000031
【図３０】
2020000043.tif 000032
【図３１】
2020000043.tif 000033
【図３２】
2020000043.tif 000034
【図３３】
2020000043.tif 000035
【図３４】
2020000043.tif 000036
【図３５】
2020000043.tif 000037
【図３６】
2020000043.tif 000038
【図３７】
2020000043.tif 000039
【図３８】
2020000043.tif 000040
【図３９】
2020000043.tif 000041
【図４０】
2020000043.tif 000042
【図４１】
2020000043.tif 000043
【図４２】
2020000043.tif 000044
【図４３】
2020000043.tif 000045
【図４４】
2020000043.tif 000046
【図４５】
2020000043.tif 000047
【図４６】
2020000043.tif 000048